(57)【特許請求の範囲】
【請求項１】
画像データを入力する入力手段と、前記入力手段により入力された画像データに基づいて記録媒体上に画像を形成する画像形成手段と、前記画像データに基づいてプレビュー画像を表示する表示手段と前記表示手段に複数ページの原稿画像をプレビュー表示する機能を有する表示制御手段を具備する画像表示操作装置とを備え、前記画像形成手段は、記録媒体の片面にのみ画像を形成する片面画像形成モードと記録媒体の両面に画像を形成する両面画像形成モードを備え、前記画像形成手段により画像が形成された記録媒体を記録物として仕上げる画像形成装置において、
前記表示制御手段は、前記画像形成装置により提供される記録物の仕上がり状態を前記表示手段にプレビュー画像として表示する仕上がりプレビュー表示手段と、前記表示手段に表示されたプレビュー画像をページ単位で捲って確認表示させる確認表示手段と、を備え、
前記表示手段は、前記プレビュー画像を表示するプレビュー表示領域として、前記記録物の仕上がり状態を立体的に表示する第１の表示領域と、前記第１の表示領域から順にページ単位で捲られたページ送り対象画像を確認表示させる第２の表示領域と、前記第２の表示領域において確認表示されたページ送り対象画像を順に重ねて立体的に表示させる第３の表示領域と、を備え、
さらに、前記片面画像形成モードの場合と前記両面画像形成モードの場合とで、前記第３の表示領域に表示される前記第２の表示領域において確認表示されたページ送り対象画像の表示位置を切換える表示位置切換え手段を備え、
前記表示位置切換え手段は、
前記片面画像形成モードの場合は、前記第２の表示領域において表示確認されたページ送り対象画像を、前記第３の表示領域に表示されている立体画像の奥側に前記ページ送り対象画像のおもて面の一部が露出するように重ねて表示し、
前記両面画像形成モードの場合は、前記第２の表示領域において表示確認されたページ送り対象画像を、前記第３の表示領域に表示されている立体画像の手前側に重ねて表示することを特徴とする画像形成装置。
【請求項２】
前記第１の表示領域と第２の表示領域と第３の表示領域とは、前記表示手段の表示画面上の左右方向または上下方向に順に配置されることを特徴とする請求項１に記載の画像形成装置。
【請求項３】
前記第１の表示領域と前記第３の表示領域とは対で配置され、前記第２の表示領域と区別して表示されることを特徴とする請求項１に記載の画像形成装置。
【請求項４】
前記第１の表示領域、第２の表示領域及び第３の表示領域のうちで、前記第２の表示領域が最も大きい領域であることを特徴とする請求項１乃至３のうちの何れか一項に記載の画像形成装置。
【請求項５】
前記第２の表示領域において、前記ページ送り対象画像は、正面を向いた状態で表示されることを特徴とする請求項１乃至４のうちの何れか一項に記載の画像形成装置。
【請求項６】
前記ページ送り対象画像の前後の画像は、情報量の多い状態で表示されることを特徴とする請求項１乃至５のうちの何れか一項に記載の画像形成装置。
【請求項７】
前記表示手段には、処理操作に係る操作キーが常時表示されていることを特徴とする請求項１乃至６のうちの何れか一項に記載の画像形成装置。
【請求項８】
前記両面画像形成モードの場合は、
前記ページ送り対象画像は、前記第２の表示領域において、おもて面を表示した後に裏面を表示し、その後、前記第３の表示領域へ移動するように表示されることを特徴とする請求項１乃至７のうちの何れか一項に記載の画像形成装置。
【請求項９】
前記両面画像形成モードの場合は、
前記ページ送り対象画像は、前記第２の表示領域において、おもて面を前記記録媒体の綴じ位置に応じた方向に回転させて裏面を表示することを特徴とする請求項８に記載の画像形成装置。
【発明の詳細な説明】
【技術分野】
【０００１】
本発明は、複写機やプリンタ、ファクシミリ等の画像形成装置に係り、特に、複数ページの原稿画像をプレビュー表示可能な画像表示操作装置を備えた画像形成装置に関する。
【背景技術】
【０００２】
従来、画像形成装置から出力される記録物に対してステープルなどの処理を行う後処理装置を搭載して、画像形成処理後に１つの記録物として完成したものを排出する記録システムがある。
【０００３】
このような記録システムを採用した画像形成装置においては、従来では、処理される原稿画像がどのようなページ構成のものかを確認する手段がないために、利用者の意図しない状態のまま完成された記録物を出力するとコピーミス（印刷ミス）となって、画像形成装置から排出される記録物が廃棄され、記録用紙、現像剤、電力の無駄な消費となるという問題があった。
【０００４】
そこで、近年では、画像形成装置の操作パネルに設けられた表示画面上に原稿画像を表示して、どのような記録物として出力されるのかを確認出来るように配慮したプレビュー機能が搭載された画像形成装置が提案されている。
【０００５】
例えば、従来技術として、画像形成装置に設けられた表示画面に原稿画像をページ単位でスライド表示させ、記録物となる原稿画像を順に確認できる構成としたものが開示されている（特許文献１を参照）。
【０００６】
また、その他の技術として、画像形成装置に設けられた表示画面に複数ページからなる記録物を立体的に表現表示することで、利用者が仕上がり状態の記録物をイメージできるように配慮したものが開示されている（特許文献２を参照）。
【先行技術文献】
【特許文献】
【０００７】
【特許文献１】特開２００９−２５３７７７号公報
【特許文献２】特開２００７−１１０６７７号公報
【発明の概要】
【発明が解決しようとする課題】
【０００８】
しかしながら、特許文献１に記載の技術のように、表示画面にページ単位で原稿画像を表示させるだけでは、利用者が記録物全体の雰囲気が理解できず、つまり、仕上がり状態の記録物がイメージできないために、コピーミスを防止する（消耗品の無駄を削減する）ことができない場合があるというのが現状である。
【０００９】
また、特許文献２に記載の技術では、記録物は立体的に見えるものの、その記録物を構成するページ画像がどの程度のものであるのかが確認できないといった問題を有している。さらに、画像が形成される記録面が湾曲して表示されているために、確認目的のために表示しているページ画像が、記録媒体上においてどのような状態で形成されるのかを確認しづらいという問題があった。
【００１０】
本発明は、上記従来の課題に鑑みてなされたものであり、画像形成開始前に、実際に完成される記録物としての仕上がり状態をイメージし易くすることで、コピーミスを防止して、消耗品の無駄を削減できる画像形成装置を提供することを目的とする。
【課題を解決するための手段】
【００１１】
本発明は、画像データを入力する入力手段と、前記入力手段により入力された画像データに基づいて記録媒体上に画像を形成する画像形成手段と、前記画像データに基づいてプレビュー画像を表示する表示手段と前記表示手段に複数ページの原稿画像をプレビュー表示する機能を有する表示制御手段を具備する画像表示操作装置とを備え、前記画像形成手段は、記録媒体の片面にのみ画像を形成する片面画像形成モードと記録媒体の両面に画像を形成する両面画像形成モードを備え、前記画像形成手段により画像が形成された記録媒体を記録物として仕上げる画像形成装置において、前記表示制御手段の構成として、前記画像形成装置により提供される記録物の仕上がり状態を前記表示手段にプレビュー画像として表示する仕上がりプレビュー表示手段と、前記表示手段に表示されたプレビュー画像をページ単位で捲って確認表示させる確認表示手段と、を備え、前記表示手段における前記プレビュー画像を表示するプレビュー表示領域として、前記記録物の仕上がり状態を立体的に表示する第１の表示領域と、前記第１の表示領域から順にページ単位で捲られたページ送り対象画像を確認表示させる第２の表示領域と、前記第２の表示領域において確認表示されたページ送り対象画像（ページ送り後の画像）を順に重ねて立体的に表示させる第３の表示領域と、を備え、さらに、前記片面画像形成モードの場合と前記両面画像形成モードの場合とで、前記第３の表示領域に表示される前記第２の表示領域において確認表示されたページ送り対象画像の表示位置を切換える表示位置切換え手段を備え、前記表示位置切換え手段の構成として、前記片面画像形成モードの場合は、前記第２の表示領域において表示確認されたページ送り対象画像を、前記第３の表示領域に表示されている立体画像の奥側に前記ページ送り対象画像のおもて面の一部が露出するように重ねて表示し、前記両面画像形成モードの場合は、前記第２の表示領域において表示確認されたページ送り対象画像を、前記第３の表示領域に表示されている立体画像の手前側に重ねて表示することを特徴とするものである。
【００１３】
また、本発明は、前記第１の表示領域と第２の表示領域と第３の表示領域とを、前記表示手段の表示画面上の左右方向または上下方向に順に配置することが好ましい。
【００１４】
また、本発明は、前記第１の表示領域と前記第３の表示領域とを対で配置し、前記第２の表示領域と区別して表示することが好ましい。
【００１５】
また、本発明は、前記第１の表示領域、第２の表示領域及び第３の表示領域のうちで、前記第２の表示領域を最も大きい領域とすることが好ましい。
【００１６】
また、本発明は、前記第２の表示領域において、前記ページ送り対象画像を、正面を向いた状態（平面表示）で表示することが好ましい。
【００１７】
また、本発明は、前記ページ送り対象画像の前後の画像、すなわち、前記ページ送り対象画像の前ページ及び後ページの画像を、情報量の多い状態で表示することが好ましい。
【００１８】
また、本発明は、前記表示手段に、処理操作に係る操作キー、例えば、スキャンインキー、モノクロスタートキー、カラースタートキー、クリアオールキーなどのいわゆるタスクトリガーキーを常時表示することが好ましい。
【００１９】
また、本発明は、前記両面画像形成モードの場合は、前記ページ送り対象画像を、前記第２の表示領域において、おもて面を表示した後に裏面を表示し、その後、前記第３の表示領域へ移動するように表示することが好ましい。
【００２０】
また、本発明は、前記両面画像形成モードの場合は、前記ページ送り対象画像を、前記第２の表示領域において、おもて面を前記記録媒体の綴じ位置に応じた方向に回転させて裏面を表示するようにすることが好ましい。
【発明の効果】
【００２３】
本発明によれば、画像データを入力する入力手段と、前記入力手段により入力された画像データに基づいて記録媒体上に画像を形成する画像形成手段と、前記画像データに基づいてプレビュー画像を表示する表示手段と前記表示手段に複数ページの原稿画像をプレビュー表示する機能を有する表示制御手段を具備する画像表示操作装置とを備え、前記画像形成手段は、記録媒体の片面にのみ画像を形成する片面画像形成モードと記録媒体の両面に画像を形成する両面画像形成モードを備え、前記画像形成手段により画像が形成された記録媒体を記録物として仕上げる画像形成装置において、前記表示制御手段の構成として、前記画像形成装置により提供される記録物の仕上がり状態を前記表示手段にプレビュー画像として表示する仕上がりプレビュー表示手段と、前記表示手段に表示されたプレビュー画像をページ単位で捲って確認表示させる確認表示手段と、を備え、前記表示手段における前記プレビュー画像を表示するプレビュー表示領域として、前記記録物の仕上がり状態を立体的に表示する第１の表示領域と、前記第１の表示領域から順にページ単位で捲られたページ送り対象画像を確認表示させる第２の表示領域と、前記第２の表示領域において確認表示されたページ送り対象画像（ページ送り後の画像）を順に重ねて立体的に表示させる第３の表示領域とを備えることで、第２の表示領域に表示されるページ送り対象画像やその原稿画像の前後関係だけでなく、記録物全体の雰囲気を容易に把握することができ、さらに、前記片面画像形成モードの場合と前記両面画像形成モードの場合とで、前記第３の表示領域に表示される前記第２の表示領域において確認表示されたページ送り対象画像の表示位置を切換える表示位置切換え手段を備えることで、それぞれの画像形成モードに応じて異なる前記ページ送り対象画像の仕上がり状態を表示することができる。これにより、記録物の仕上がり状態をイメージし易くできるので、コピーミスを防止して、消耗品の無駄な消費の削減を図ることができる。
【００２４】
また、本発明によれば、前記表示位置切換え手段として、前記片面画像形成モードの場合は、前記第２の表示領域において表示確認されたページ送り対象画像を、前記第３の表示領域に表示されている立体画像の奥側、すなわち前記立体画像の下に前記ページ送り対象画像の一部が露出するように重ねて表示する機能と、前記両面画像形成モードの場合は、前記第２の表示領域において表示確認されたページ送り対象画像を、前記第３の表示領域に表示されている立体画像の手前側、すなわち前記立体画像の上に重ねて表示する機能とを備えることで、それぞれの画像形成モードに応じて前記第２の表示領域に表示されるページ送り対象画像とその前後の画像との関係を容易に確認できるので、記録物全体の雰囲気を容易に把握することができる。
【００２５】
また、本発明によれば、前記第１の表示領域と第２の表示領域と第３の表示領域とを、前記表示手段の表示画面上の左右方向または上下方向に順に配置することで、実際に記録物を捲っているのに近い感覚でページを送って仕上がり状態を確認することが可能となる。
【００２６】
また、本発明によれば、前記第１の表示領域と前記第３の表示領域とを対で配置し、前記第２の表示領域と区別して表示することで、記録物の綴じ状態を容易に認識でき、ページ送り対象画像のページ位置や内容を容易に確認することができる。
【００２７】
また、本発明によれば、前記第１の表示領域、第２の表示領域及び第３の表示領域のうちで、前記第２の表示領域を最も大きい領域とすることで、原稿画像を確認する時の視認性の向上を図ることができる。
【００２８】
また、本発明によれば、前記第２の表示領域において、前記ページ送り対象画像を、正面を向いた状態（平面表示）で表示することで、原稿画像を確認する時の視認性の向上を図ることができる。
【００２９】
また、本発明によれば、前記ページ送り対象画像の前後の画像を情報量の多い状態で表示することで、特に、両面印刷の場合に、前記ページ送り対象画像の前後のページの画像の情報が確認し易くなるので、確認表示されるプレビュー画像の前後関係をより把握し易くできる。
【００３０】
また、本発明によれば、前記表示手段に、いわゆるタスクトリガーキー等の処理操作に係る操作キーを常時表示することで、記録物の仕上がり状態を確認終了後、使用者が直ぐに開始指示を出すことが可能となるので、操作性の向上を図ることができる。
【００３１】
また、本発明によれば、前記両面画像形成モードの場合は、前記ページ送り対象画像を、前記第２の表示領域において、おもて面を表示した後に裏面を表示し、その後、前記第３の表示領域へ移動するように表示することで、プレビュー画像の両面を確実に確認することが可能になる。
【００３２】
また、本発明によれば、前記両面画像形成モードの場合は、前記ページ送り対象画像を、前記第２の表示領域において、おもて面を前記記録媒体の綴じ位置に応じた方向に回転させて裏面を表示するようにすることで、実際に記録物を捲るのに近い感覚でページを送って、記録物の仕上がり状態を確認することができる。
【図面の簡単な説明】
【００３５】
【図１】本発明の第１実施形態に係る画像形成装置の全体の構成を示す説明図である。
【図２】前記画像形成装置の内部構成を簡略化して示す説明図である。
【図３】前記画像形成装置のハードウェア構成を示す機能ブロック図である。
【図４】前記画像形成装置のタッチパネルディスプレイのプレビュー表示領域を示す説明図である。
【図５】前記タッチパネルディスプレイに表示される画面例を示す説明図である。
【図６】前記タッチパネルディスプレイに表示されるプレビュー領域を変更した状態を示す説明図である。
【図７】本実施形態の画像形成装置における操作ユニットの電気的構成を示すブロック図である。
【図８】前記タッチパネルディスプレイの構成を示すブロック図である。
【図９】前記タッチパネルディスプレイを構成する表示パネルの表示態様を示す説明図である。
【図１０】（ａ）〜（ｆ）は前記表示パネルにおけるプレビュー表示により「片面左綴じ」の記録物の仕上がり状態を確認する操作を示す説明図である。
【図１１】（ａ）〜（ｆ）は前記表示パネルにおけるプレビュー表示により「片面右綴じ」の記録物の仕上がり状態を確認する操作を示す説明図である。
【図１２】（ａ）〜（ｆ）は前記表示パネルにおけるプレビュー表示により「両面左綴じ」の記録物の仕上がり状態を確認する操作を示す説明図である。
【図１３】（ａ）〜（ｄ）は前記表示パネルにおいてプレビュー表示された「両面左綴じ」の記録物のおもて面から裏面に回転遷移する状態を示す説明図である。
【図１４】（ａ）〜（ｆ）は前記表示パネルにおけるプレビュー表示により「両面上綴じ」の記録物の仕上がり状態を確認する操作を示す説明図である。
【図１５】（ａ）〜（ｈ）は前記表示パネルにおいてプレビュー表示された「両面上綴じ」の記録物のおもて面から裏面に回転遷移する状態を示す説明図である。
【図１６】本発明の第２実施形態に係る表示パネルの表示態様を示す説明図である。
【図１７】（ａ）〜（ｆ）は前記表示パネルにおけるプレビュー表示により「両面上綴じ」の記録物の仕上がり状態を確認する操作を示す説明図である。
【図１８】（ａ）〜（ｈ）は前記表示パネルにおいてプレビュー表示された「両面上綴じ」の記録物のおもて面から裏面に回転遷移する状態を示す説明図である。
【図１９】本発明に係る表示パネルのプレビュー領域のレイアウトの変形例１を示す説明図である。
【図２０】前記表示パネルのプレビュー領域のレイアウトの変形例２を示す説明図である。
【発明を実施するための形態】
【００３６】
（第１実施形態）
以下、本発明の第１実施形態について図面を参照して説明する。
図１は発明を実施する形態の一例であって、本発明の第１実施形態に係る画像形成装置の全体の構成を示す説明図、図２は前記画像形成装置の内部構成を簡略化して示す説明図、図３は前記画像形成装置のハードウェア構成を示す機能ブロック図、図４は前記画像形成装置のタッチパネルディスプレイのプレビュー表示領域を示す説明図、図５は前記タッチパネルディスプレイに表示される画面例を示す説明図、図６は前記タッチパネルディスプレイに表示されるプレビュー領域を変更した状態を示す説明図である。
【００３７】
本発明の第１実施形態は、図１に示すように、画像データを入力する原稿読取部（入力手段）１０２と、原稿読取部１０２により入力された画像データに基づいて記録媒体上に画像を形成する画像形成部（画像形成手段）１０４と、画像データに基づいてプレビュー画像を表示する表示パネル（表示手段）１３２と表示パネル１３２に複数ページの原稿画像をプレビュー表示する機能を有するタッチパネルディスプレイ（表示制御手段）１３０とを具備する操作ユニット（画像表示操作装置）１２０とを備え、画像形成部には記録媒体の片面にのみ画像を形成する片面画像形成モードと記録媒体の両面に画像を形成する両面画像形成モードを備え、画像形成部１０４により画像が形成された記録媒体を記録物として仕上げる後処理装置が装着可能な画像形成装置１００において、タッチパネルディスプレイ１３０と表示パネル１３２の構成として、本発明に係る表示制御手段と表示手段の構成を採用したものである。
【００３８】
表示パネル１３２に表示される複数原稿画像は、画像形成装置１００の原稿読取部などから取り込まれた原稿画像の形態をプレビュー表示するものであり、且つ、画像形成部から記録用紙上に形成される画像の出力形態を仕上がりプレビュー画像として表示するものである。
【００３９】
本実施形態に係る画像形成装置１００は、画像処理装置の１種である画像形成装置である。本発明に係る画像表示操作装置の適用は、このような画像形成装置以外の画像処理装置または電子機器であっても構わない。
【００４０】
また、本実施形態に係る画像形成装置１００は、複数の動作モードを備え、その動作モードが切り換えられて表示機器の画面が切り換えられた場合において、ユーザが画面構成を覚えていなくても、ユーザが求める情報をユーザが容易に取得することができるように、情報を表示する表示機器を備えた装置であればよい。
【００４１】
なお、本実施形態に係る画像形成装置１００は、ジェスチャー操作方法とジェスチャー操作によらないタッチ操作方法とにより操作が可能なタッチパネルディスプレイ（操作画面）を備えるとするが、タッチ操作のみが可能なタッチパネルディスプレイを備える装置であってもよく、さらには、操作が不可能な表示のみ可能な表示パネルおよび操作用のボタンを備える装置であってもよい。
【００４２】
この画像形成装置１００は、電子写真方式により記録用紙に画像を形成する。
また、画像形成装置１００は、動作モードとして、コピーモード、ファクシミリモード（ＦＡＸモード）、ドキュメントファイリングモード（スキャンした画像を画像形成装置内部の記憶装置に記憶するモード）およびメールモード（スキャンした画像を電子メールに添付する形式で送信するモード）を備える。なお、この画像形成装置１００は、さらにネットワークプリンタモードを備えていても構わない。
【００４３】
また、本発明はこれに限定されず、動作モード毎に画面が切り換わる画像形成装置であれば構わない。また、印刷方式は電子写真方式に限定されない。
【００４４】
まず、本発明の実施形態に係る画像形成装置１００について説明する。
本実施形態に係る画像形成装置１００は、原稿読取部１０２、画像形成部１０４、給紙部１０６、排紙処理装置１０８、および、操作ユニット１２０を備える。
操作ユニット１２０は、タッチパネルディスプレイ１３０と表示操作部１４０とで構成される。タッチパネルディスプレイ１３０は、液晶パネル等で構成された表示パネル１３２と、表示パネル１３２に重ねて配置されたユーザの指で押圧された位置を検出するタッチパネル（タッチ操作認識手段）１３４とで構成される。表示操作部１４０は、表示灯１４２と、電源キー１４４と、省エネルギーキー（以下「省エネキー」と記載）１４６と、動作モードを選択するホーム画面ヘタッチパネルディスプレイ１３０の表示画面を戻すためのホームキー１４８とで構成される。
【００４５】
このように画像形成装置１００は、主たる操作デバイスとしてタッチパネルディスプレイ１３０を備えるとともに、ハードウェアキーおよび表示灯により構成される表示操作部１４０を備える。表示操作部１４０のキー（電源キー１４４、省エネキー１４６、ホームキー１４８）は、タッチパネルディスプレイ１３０により構成されるソフトウェアボタンと対比して、ハードウェアボタンとして構成される点が特徴である。
【００４６】
なお、画像形成装置１００は、このような構成の表示操作部１４０を備えるものに限定されず、タッチパネルディスプレイ１３０のみを備えるものであってもよい。タッチパネルディスプレイ１３０に表示されたホーム画面においてユーザが動作モードを選択すると、選択された動作モードにおける初期画面に切り換わるものであれば構わない。このような画像形成装置１００の動作モードについて説明する。
【００４７】
（コピーモード）
以下において、画像形成装置１００のコピーモードでの動作について説明する。
このコピーモードにおいては、主として、原稿読取部（以下、「スキャナ部」と称する。）１０２および画像形成部１０４が動作する。
【００４８】
画像形成装置１００においては、原稿載置台に置かれた原稿が原稿読取部１０２により画像データとして読取られ、読取られた画像データが図３に示すマイクロコンピュータ等から構成されるＣＰＵ３００に入力され、ここで画像データに各種の画像処理が施され、この画像データが画像形成部１０４へと出力される。
【００４９】
画像形成部１０４は、図２に示すように、画像データによって示される原稿の画像を記録媒体（多くの場合、記録用紙）に印刷するものであって、感光体ドラム２２２、帯電装置２２４、レーザスキャンユニット（以下、「ＬＳＵ」と称する。）２２６、現像装置２２８、転写装置２３０、クリーニング装置２３２、定着装置２３４、および図示しない除電装置等を備えている。
【００５０】
画像形成部１０４には、主搬送路２３６および反転搬送路２３８が設けられており、給紙部１０６から給紙されてきた記録用紙が主搬送路２３６に沿って搬送される。給紙部１０６は、用紙カセット２４０に収納された記録用紙、または手差トレイ２４２に載置された記録用紙を１枚ずつ引出して記録用紙を画像形成部１０４の主搬送路２３６へと送り出す。
【００５１】
画像形成部１０４の主搬送路２３６に沿って記録用紙が搬送されている途中で、記録用紙が感光体ドラム２２２と転写装置２３０との間を通過し、さらに定着装置２３４を通過して、記録用紙に対する印刷が行なわれる。
【００５２】
感光体ドラム２２２は、一方向に回転し、その表面は、クリーニング装置２３２と除電装置によりクリーニングされた後、帯電装置２２４により均一に帯電される。
【００５３】
ＬＳＵ２２６は、印刷対象の画像データに基づいてレーザ光を変調し、このレーザ光によって感光体ドラム２２２の表面を主走査方向に繰返し走査して、静電潜像を感光体ドラム２２２の表面に形成する。
【００５４】
現像装置２２８は、トナーを感光体ドラム２２２の表面に供給して静電潜像を現像し、トナー像を感光体ドラム２２２の表面に形成する。
【００５５】
転写装置２３０は、当該転写装置２３０と感光体ドラム２２２との間を通過していく記録用紙に感光体ドラム２２２の表面のトナー像を転写する。
【００５６】
定着装置２３４は、記録用紙を加熱するための加熱ローラ２４８と、記録用紙を加圧するための加圧ローラ２５０とを含む。記録用紙は、加熱ローラ２４８によって加熱され、かつ、加圧ローラ２５０によって加圧されることによって、記録用紙上に転写されたトナー像が記録用紙に定着される。この定着装置２３４へ供給される電力によりヒータを温めて加熱ローラ２４８の温度が定着に適した温度になるように制御されている。なお、省エネモードに移行すると、例えば、このヒータへ供給される電力が停止されたり削減されたりする。
【００５７】
主搬送路２３６と反転搬送路２３８との接続位置には、分岐爪２４４が配設されている。記録用紙の片面のみに印刷が行なわれる場合は、分岐爪２４４が位置決めされ、この分岐爪２４４により定着装置２３４からの記録用紙が排紙トレイ２４６または排紙処理装置１０８の方へと導かれる。
【００５８】
記録用紙の両面に印刷が行なわれる場合は、分岐爪２４４が所定方向に回動されて記録用紙が一旦排紙トレイ２４６側へ導かれた後、スイッチバック搬送されて反転搬送路２３８の方へと導かれる。記録用紙は、反転搬送路２３８を通過して、その表裏を反転されて主搬送路２３６へと再び搬送され、主搬送路２３６の再度の搬送途中で、その裏面への印刷が行なわれて排紙トレイ２４６または排紙処理装置１０８の方へと導かれる。
【００５９】
上述のようにして印刷された記録用紙は、排紙トレイ２４６または排紙処理装置１０８の方へと導かれて排紙トレイ２４６に排出され、または排紙処理装置１０８の各排紙トレイ１１０のいずれかに排出される。
【００６０】
排紙処理装置１０８では、複数の記録用紙を各排紙トレイ１１０に仕分けして排出する処理、各記録用紙にパンチングする処理、および各記録用紙にステープルする処理を施す。例えば、複数部の印刷物を作成する場合は、各排紙トレイ１１０に印刷物の一部ずつが割り当てられるように、各記録用紙を各排紙トレイ１１０に仕分けして排出し、排紙トレイ１１０毎に、排紙トレイ１１０上の各記録用紙に対しパンチングユニット１１１によるパンチング処理またはステープルユニット１１２によるステープル処理を施して印刷物を作成する。
【００６１】
（ファクシミリモード）
以下において、ファクシミリモードでの動作について説明する。
このファクシミリモードにおいては、図３に示すように、主として、送信動作は原稿読取部（スキャナ部）１０２およびＦＡＸ通信部１６０が動作することにより、受信動作はＦＡＸ通信部１６０および画像形成部１０４が動作する。
【００６２】
（送信動作）
画像形成装置１００においては、ファクシミリモードを指定して、原稿載置台に置かれた原稿が原稿読取部１０２により画像データとして読取られ、読取られた画像データが図３に示すマイクロコンピュータ等から構成されるＣＰＵ３００に入力され、ここで画像データに各種の画像処理が施され、この画像データがＦＡＸ通信部（図３のＦＡＸ通信部１６０）へと出力される。
【００６３】
図３に示すように、送信側の画像形成装置１００のＦＡＸ通信部１６０は、指定された送信側の回線を指定された送信先に接続して、画像データをファクシミリ通信規格に合致した通信データへ変換して、受信側のファクシミリ装置（例えばファクシミリ機能を備えた画像形成装置１００）へ送信する。
【００６４】
（通信動作）
回線が接続されると、受信側の画像形成装置１００のＦＡＸ通信部１６０は、送信側の画像形成装置１００のＦＡＸ通信部１６０からの通信要求信号を検出して、応答信号を送信する。その後、例えば、ＦＡＸ通信部１６０は、送信側および受信側で互いに実装されている能力情報の受渡しを行ない、利用可能な最大能力での通信速度および画像データの符号化・符号訂正方式などを決定してモデムの通信方式を設定する。この通信方式にあわせた画像信号静式を用いて、送信側の画像形成装置１００のＦＡＸ通信部１６０から受信側の画像形成装置１００のＦＡＸ通信部１６０ヘデータを送信する。送信が終了すると回線が切断される。
【００６５】
（受信動作）
受信側の画像形成装置１００のＦＡＸ通信部１６０は、受信したデータを画像データに変換して、画像形成部１０４へ送る。なお、受信したデータを画像データへ変換するのは画像形成部１０４であっても構わない。画像形成部１０４は、上述したコピーモードにおける動作と同じように、受信したデータから変換された画像データによって示される原稿の画像を記録用紙に印刷する。
【００６６】
次に、画像形成装置１００の制御ブロック構成について図面を参照して説明する。
図３に示すように、画像形成装置１００は、さらに、コピーモード、ファクシミリモードとして装置が搭載する機能の設定が可能な操作ユニット１２０と、プログラム等を記憶するためのＲＯＭ３０６と、通電が遮断された場合であってもプログラムおよびデータ等を記憶可能な不揮発性記憶領域であるハードディスク３０２と、プログラムを実行する際の記憶領域を提供するためのＲＡＭ（Ｒａｎｄｏｍ  Ａｃｃｅｓｓ  Ｍｅｍｏｒｙ）３０８とを含む。
【００６７】
画像形成装置１００は、さらに、原稿読取部１０２、画像形成部１０４、ＦＡＸ通信部１６０、操作ユニット１２０、ＲＯＭ３０６、ハードディスク３０２、およびＲＡＭ３０８に接続されるパス３１０と、パス３１０に接続された、画像形成装置としての一般的機能を実現するためのＣＰＵ３００とを含む。
【００６８】
ハードディスク３０２には、この画像形成装置１００でスキャンした原稿の画像データのファイルが記憶される。また、ハードディスク３０２には、各動作モードの初期画面データが記憶されている。（ハードディスク３０２でなくてもＲＯＭ３０６に記憶させておくことも可能）
【００６９】
ＲＯＭ３０６には、画像形成装置１００の動作を制御するのに必要なプログラムおよびデータ等が記憶されている。このＲＯＭ３０６にプログラムとともに記憶するデータとして、各動作モードの初期画面データを記憶するようにしても構わない。ＣＰＵ３００は、ＲＯＭ３０６に格納されているプログラムおよびデータに従って画像形成装置１００の制御を行なうとともに画像形成装置１００の各機能に関する制御を実行する。
【００７０】
図３に示すように、この画像形成装置１００のＦＡＸ通信部１６０には、画像データの送受信用に公衆回線が接続され、ネットワークインターフェイス３０４には、ネットワーク回線が接続されている。このネットワーク回線には、この画像形成装置１００をネットワーク対応のプリンタとして使用するコンピュータ等が接続されたり、インターネットを介して指定されたＵＲＬ（Ｕｎｉｆｏｒｍ  Ｒｅｓｏｕｒｃｅ  Ｌｏｃａｔｏｒ）により特定されるコンピュータ等が接続されたりする。このようにインターネットに接続されると、画像形成装置１００は、インターネットを介して、必要な情報を取得することができる。
【００７１】
ＲＡＭ３０８は、ＣＰＵ３００による演算および処理の結果を一時的に記憶するワーキングメモリとしての機能と、画像データを記憶するフレームメモリとしての機能とを提供する。
【００７２】
原稿読取部１０２、画像形成部１０４、操作ユニット１２０を構成するタッチパネルディスプレイ１３０および表示操作部１４０、ならびにＲＯＭ３０６、ハードディスク３０２、およびＲＡＭ３０８に対する制御は、ＣＰＵ３００が所定のプログラムを実行することにより行なわれる。なお、操作ユニット１２０は、入出力インターフェイスを介してＣＰＵ３００と通信する。
【００７３】
操作ユニット１２０は、ユーザが目視しやすいように傾斜して設けられた板状のパネルで構成される。操作ユニット１２０の表面には、その左側の領域にタッチパネルディスプレイ１３０が、右側の領域に表示操作部１４０（表示灯１４２ならびにハードウェアボタンである電源キー１４４、省エネキー１４６およびホームキー１４８）が、備えられている。タッチパネルディスプレイ１３０および表示操作部１４０は、操作ユニット１２０が全体として一体となるように構成されている。
【００７４】
上述したように、このタッチパネルディスプレイ１３０は、表示パネル１３２と、表示パネル１３２に重ねて配置されたタッチパネル１３４とで構成される。
【００７５】
このタッチパネルディスプレイ１３０においては、表示パネル１３２に、この画像形成装置１００における動作モードを選択するホーム画面、この画像形成装置１００の現在の状態、宛先指定状況、ジョブの処理状況等が表示される。表示パネル１３２のプレビュー表示領域上にはソフトウェアボタンである選択ボタンが表示され、この選択ボタンの表示されている領域を指で押すと、タッチパネル１３４がその押された位置を検出する。プログラム上で、選択ボタンの表示位置とタッチパネル１３４が押された位置とを照合することにより、画像形成装置１００の動作モード選択、機能設定および動作指示等が行なわれる。この画像形成装置１００はこのようなタッチ操作（ユーザによる押圧位置に基づくコマンド入力操作）に加えて、上述したジェスチャー操作（ユーザによる操作軌跡に基づくコマンド入力操作）にも対応している。
【００７６】
また、表示操作部１４０の表示灯１４２は、例えばＬＥＤ（Ｌｉｇｈｔ  Ｅｍｉｔｔｉｎｇ  Ｄｉｏｄｅ）で構成され、ＣＰＵ３００により点灯／消灯（／点滅）が制御される。主電源スイッチとは別に設けられた電源キー１４４をユーザが押下すると、この画像形成装置１００が待機モード（例えば主電源がオンの状態でＦＡＸ受信動作のみ可能）から通常モードへ移行して、この画像形成装置１００の全ての動作モードが使用できるようになる。この状態に連動して表示灯１４２が点灯する。さらに、ユーザが操作しない時間が予め定められた時間を経過したり、省エネキー１４６をユーザが押下したりすると、この画像形成装置１００が通常モードから省エネモードへ移行して、この画像形成装置１００の一部の動作モードしか使用できないようになる。この状態に連動して表示灯１４２が点滅する。さらに、この省エネモードのときに、省エネキー１４６をユーザが押下すると、この画像形成装置１００が省エネモードから通常モードへ移行する。ホームキー１４８は、タッチパネルディスプレイ１３０の表示を初期状態（ホーム画面）へ戻すためのハードウェアキーである。なお、電源キー１４４、省エネキー１４６およびホームキー１４８を押下したときの処理はこれらに限定されるものではない。
【００７７】
なお、表示操作部１４０のハードウェアボタン（電源キー１４４、省エネキー１４６およびホームキー１４８）には、ＣＰＵ３００により点灯／消灯（／点滅）が制御されるキーランプを埋め込むようにしても構わない。例えば、このキーランプは、円型のキーの５周囲をリング状に光らせたり、キーの中央部を光らせたりする。操作デバイスとしてハードウェアボタンを使用することが許可されているタイミングで（ハードウェアボタンを使用すると処理が実行されるタイミングで）、このキーランプが点灯する。
【００７８】
本実施形態に係る画像形成装置１００においては、上述した２つの動作モード（コピーモード、ファクスモード）を備える。タッチパネルディスプレイ１３０には、それぞれの動作モードにおける機能設定用のソフトウェアボタンと、必要に応じて、画像形成イメージであるプレビューまたは宛先設定用のボタン等が表示される。
【００７９】
動作モードが違う場合には、タッチパネルディスプレイ１３０は、異なる画面が表示される。このような場合であっても、ユーザが要求する情報を容易に見つけることのできるように、タッチパネルディスプレイ１３０は複数の領域に分割されて（かつその領域の大きさを可変として）、各領域に情報を表示するという本発明の本質的部分を備える。特にこの画像形成装置１００においては、主たる表示操作デバイスとして設けられたタッチパネルディスプレイ１３０のホーム画面において動作モードを選択すると、各動作モードの初期画面が表示される。
【００８０】
この初期画面において、（１）基本レイアウトが５つの領域（「システム領域」、「機能選択領域」、「プレビュー領域」、「アクションパネル領域」、「タスクトリガー領域」）に分割されて適切に配置されているので、左上から右下へユーザが操作することにより（このような大型のタッチパネルディスプレイ１３０を備えない従来機と同じようなユーザの視点の動線および指先の動線が実現されるために）容易に設定が可能で、（２）異なる動作モードであっても５つの領域のそれぞれに表示される概念は同じものであって、動作モードが異なってもユーザが混乱することなく操作が可能である。
以下に、このような基本レイアウトの構成について説明する。
【００８１】
まず、画像形成装置１００のタッチパネルディスプレイ１３０における基本レイアウトについて図面を参照して説明する。
タッチパネルディスプレイ１３０の基本レイアウトは、図４に示すように、横長のタッチパネルディスプレイ１３０において（例えば、横１０２４ピクセル×縦６００ピクセル）、最上部に配置されたシステム領域１０００、画面中央部に配置されたプレビュー領域（プレビュー表示領域）３０００、プレビュー領域３０００の左側に配置された機能設定／確認領域２０００（以下、機能選択領域２０００と記載する）、プレビュー領域３０００の右上部に配置されたアクションパネル領域４０００、および、プレビュー領域３０００の右下部に配置されたタスクトリガー領域５０００で構成される。
【００８２】
なお、タッチパネルディスプレイ１３０における領域の数は５つに限定されるものではなく、左右の並びもこれに限定されず、例えば、ユーザの利き手に応じて領域の左右の配置を逆にしても構わない。また、システム領域１０００の位置は最下部であっても構わない。また、状態もしくは設定によっては表示されなくても構わない。
【００８３】
システム領域１０００には、この画像形成装置１００の現時点での状態が表示され、操作中の動作モードのタイトル、画像形成装置１００の状況・状態が表示される。例えば、システム領域１０００には、動作モード名、割り込みキー、ログインユーザ名、処理中のジョブ状況、内蔵メモリ使用状態、時刻等が表示される。
【００８４】
機能選択領域２０００には、各機能の設定、表示の切り換え、設定の確認のためにユーザにより操作される機能選択メニュー（アイコン、ボタン等）が、アイコンモード、レギュラーモードおよびエキスプレスモードで表示態様を変更して、表示される。アイコンモードにおいては、プレビュー領域３０００が最も広くなるように機能選択領域２０００には機能設定用のアイコンのみが表示される。エキスプレスモードにおいては、プレビュー領域３０００が最も狭くなっても機能選択領域２０００には機能を一度に設定できる画面が大きく表示される。レギュラーモードにおいては、プレビュー領域３０００の大きさはアイコンモードとエキスプレスモードとの中間の大きさであって、機能選択領域２０００には機能設定のアイコンとともに機能名称がテキスト表示される。
【００８５】
これらのアイコンモード、レギュラーモードおよびエキスプレスモードの切り換えはユーザの操作に基づく。すなわち、プレビュー領域３０００の大きさが、ユーザの操作に応じて変更して表示される。このように、アイコンは、小さい領域でユーザへの情報を伝達することができるので、全ての機能に対して準備しておいて、プレビュー領域３０００が大きく表示できることが好ましい。
【００８６】
この機能選択領域２０００には、その下部に機能選択領域２０００の表示スタイルを変更する変更ボタン群２０１０を備える。変更ボタン群２０１０には、アイコンモードで機能選択領域２０００を表示するアイコンモード移行ボタン２０１２、「お気に入り」登録した機能を表示させるお気に入りボタン２０１４、設定が変更された機能を表示させるチェックボタン２０１６、選択されている動作モードにおいて設定可能な全ての機能の一覧を表示するリストボタン２０１８、レギュラーモードで機能選択領域２０００を表示するレギュラーモード移行ボタン２０２０、および、エキスプレスモードで機能選択領域２０００を表示するエキスプレスモード移行ボタン２０２２が配置されている。
【００８７】
なお、機能選択領域２０００に表示される情報が多い場合には、この機能選択領域２０００において上下方向にスクロール可能に情報が表示される。この場合において、この変更ボタン群２０１０はスクロールされないで、機能選択領域２０００の最下部に常に表示される。
【００８８】
プレビュー領域３０００には、原稿の出力（仕上がり）イメージが表示される。ダミーデータまたはスキャンデータを用いてイメージ表示し、ユーザが仕上がりを変更する毎にプレビュー領域３０００に表示されているイメージが変更される。このプレビュー領域３０００においては、スキャン前のバーチヤルモードでのダミーイメージでの仕上がり表示、スキャン後のスキャンインモードでの実イメージでの仕上がり表示の２つのモードを有し、さらにバーチヤルモードには、原稿セット前および原稿セット後の２種類がある。
【００８９】
このプレビュー領域３０００には、その下部にプレビュー領域３０００の表示スタイルを変更するプレビュー変更ボタン群３０１０を備える。プレビュー変更ボタン群３０１０には、プレビューを左に９０度回転させる左回転ボタン３０１６、プレビューを右に９０度回転させる右回転ボタン３０１８、ズームバー３０２０が配置されている。これら以外にも、例えばカラー変更ボタン３０１２およびプレビュー操作ボタン３０１４が配置されている。
【００９０】
ここで、左回転ボタン３０１６を１回タッチ操作するとプレビューが左に９０度回転されて、２回タッチ操作するとプレビューが左に１８０度回転される（上下反転）。また、プレビュー領域に表示された仕上がり原稿イメージをジェスチャー操作しても（指先で原稿イメージを反時計回転方向に１８０度回転させても）、プレビューが左に１８０度回転されて上下反転される。
【００９１】
右回転ボタン３０１８を１回タッチ操作するとプレビューが右に９０度回転されて、２回タッチ操作するとプレビューが右に１８０度回転される（上下反転）。また、プレビュー領域に表示された仕上がり原稿イメージをジェスチャー操作しても（指先で原稿イメージを時計回転方向に１８０度回転させても）、プレビューが右に１８０度回転されて上下反転される。
【００９２】
ズームバー３０２０のプラスボタン３０２０Ａをタッチ操作したり、バ−３０２０Ｃをプラスボタン３０２０Ａ側へジェスチャー操作（ドラッグまたはスライド）したりすると、プレビューが拡大して表示される。また、プレビュー領域に表示された仕上がり原稿イメージをジェスチャー操作しても（指先で原稿イメージをピンチアウト／ピンチオープンさせても）、プレビューが拡大して表示される。
【００９３】
ズームバー３０２０のマイナスボタン３０２０Ｂをタッチ操作したり、バ−３０２０Ｃをマイナスボタン３０２０Ｂ側ヘジェスチャー操作（ドラッグまたはスライド）したりすると、プレビューが縮小して表示される。また、プレビュー領域に表示された仕上がり原稿イメージをジェスチャー操作しても（指先で原稿イメージをピンチイン／ピンチクローズさせても）、プレビューが縮小して表示される。
【００９４】
なお、プレビュー領域３０００に表示される原稿イメージのページ数が多い場合には、タッチ操作可能な表示ページ選択ボタン（ページ番号入力ボタン、ページ送りボタン、ページ戻しボタン、単ページ表示ボタン、複数ページ表示ボタン等）を表示するようにしても構わない。なお、原稿イメージをスライドタッチ（フリック操作）してもプレビューされる原稿のページ送り、ページ戻しを行なうことができる。また、プレビュー領域３０００に表示される原稿イメージが大きい場合には、タッチ操作またはジェスチャー操作可能なスクロールバーを表示するようにしても構わない。
【００９５】
アクションパネル領域４０００には、操作についての補助・助言・提案についての情報が表示される。このアクションパネル領域４０００には、例えば、あるユーザが特定の機能を選択すると、その機能に関連する機能を表示したり、目的指向でその機能についての他の機能を表示したり、このユーザまたはこのユーザが所属するグループのユーザが過去に組み合わせて選択した機能を「おすすめ機能」として表示したりする。
【００９６】
タスクトリガー領域５０００には、その動作モードにおける全ての設定が完了して、この画像形成装置１００を実際に動作させるためにユーザにより操作されるトリガー一項目が表示される。例えば、処理を開始させるためのスタートボタン（ソフトウェアボタン）である。なお、印字を伴う動作モード（ファクス送信以外）において、消耗品切れについての情報も、タスクの実行不可に関連するので、この「タスクトリガー領域」に表示される。
【００９７】
この場合において、スタートボタンが押下できる状態の場合にのみ、スタートボタンを表示することも好ましい。スタートボタンが押下できる状態とは、印字を伴う動作モードの場合には、全ての設定が終了してかつ消耗品（記録用紙およびトナー）切れでない状態であって、印字を伴わない動作モードであるファクスモード（送信）の場合には、宛先を含む全ての送信パラメータの設定が終了した状態である。
【００９８】
これらの５領域は、動作モードが変更されても（どの動作モードの初期画面においても、その配置された位置は変更されない。また、機能選択領域２０００（およびプレビュー領域３０００）におけるアイコンモード／レギュラーモード／エキスプレスモードの切り換え表示のように、領域はタッチパネルディスプレイ１３０の画面横方向（長手方向）に伸縮してサイズが変化する。
【００９９】
このような５領域の配置は、従来機におけるユーザインターフェイスをも考慮しつつ、ユーザの視点の動線および操作の動線に着目して配置されている。このような配置により、タッチパネルディスプレイ１３０において、左上から右下へユーザの視線が動いて、左上から右下へユーザの操作（利き手の指先）が動く。
【０１００】
なお、ある動作モードから他の動作モードへ遷移するためには、ホームキー１４８を押下して、ホーム画面において他の動作モードを選択する。このように、ホーム画面を経由して、動作モードが切り換えられる。
【０１０１】
（コピーモードの初期画面表示動作）
コピーモードが選択されると、ハードディスク３０２等から読出したコピー初期画面データを用いてタッチパネルディスプレイ１３０にコピーモードの初期画面が表示される。
このとき、例えば、タッチパネルディスプレイ１３０には、図５に示すように、コピーモード初期画面７１００が表示される。コピーモード初期画面７１００は、上述したレイアウト構成の５領域に分割されて情報が表示される。
【０１０２】
コピーモード初期画面７１００のシステム領域１０００には、図５に示すように、選択されている動作モード（ここではコピーモード）を示すエリア１１０２、選択された動作モードに付随するサブ情報を表示するエリア１１０４、ログインユーザ名を表示するエリア１１０６、ログアウトボタン（ソフトウェアボタン）が表示されるエリア１１０８、現在実行中のジョブ状況を表示するエリア１１１０、ジョブ状況に関係するボタン（ソフトウェアボタン）が表示されるエリア１１１２、通信状態が表示されるエリア１１１４、現在時刻が表示されるエリア１１１６が配置されている。
【０１０３】
エリア１１０２には、動作モードを示す名称または／およびアイコンが表示される。
このエリア１１０２をタッチ操作、タップ操作またはダブルタップ操作すると、動作モードを示すメニューがプルダウン表示されて動作モードを切り換えることができるようにすることも好ましい（他の動作モードにおいても同じ）。
【０１０４】
エリア１１０４には、サブ情報として、割り込みキー（ソフトウェアボタン）が表示される。この割り込みキーをタッチ操作、タップ操作またはダブルタップ操作すると、コピーモードにおいて割り込み処理を実行することができる。
【０１０５】
エリア１１１２には、現在実行中のジョブ状況がアイコンで表示される。このジョブ状況をタッチ操作、タップ操作またはダブルタップ操作すると、詳細なジョブ状況情報が表示される。さらに、エリア１１１２には、選択されたジョブを停止させるボタン等を表示することも好ましい。
【０１０６】
コピーモード初期画面７１００の機能選択領域２０００には、コピーモードにおいてユーザが選択できる機能選択メニュー２１００および上述した変更ボタン群２０１０が表示されている。図５に示す画面では、レギュラーモードで機能選択メニューが表示されている。
【０１０７】
図５に示すように、レギュラーモードで表示される機能選択メニューは、アイコン群２１００とテキスト群２１２０とで構成される。この機能選択領域２０００に表示される機能選択メニューとして、コピー一部数を設定するアイコン２１０２および設定された内容を表示するテキス卜２１２２、カラーモードを設定するアイコン２１０４および設定された内容を表示するテキスト２１２４、コピー濃度を設定するアイコン２１０６および設定された内容を表示するテキスト２１２６、コピー倍率を設定するアイコン２１０８および設定された内容を表示するテキスト２１２８、原稿の種類を設定するアイコン２１１０および設定された内容を表示するテキスト２１３０、用紙の種類を設定するアイコン２１１２および設定された内容を表示するテキスト２１３２、画像を編集するアイコン２１１４および設定された内容を表示するテキスト２１３４、レイアウトを編集するアイコン２１１６および設定された内容を表示するテキスト２１３６が表示されている。
【０１０８】
なお、上述したように、これらの機能設定メニューにおけるさらなる項目は、変更ボタン群２０１０の表示位置を固定した状態で、上下方向にスクロール可能に表示することができる。そして、上下方向に隠れて表示されていない項目を含めて機能設定メニューの表示項目を切り換えることは、タッチ操作（スクロール操作）でもジェスチャー操作（上下方向へフリック操作）のいずれの操作でも可能である。
【０１０９】
ここで、画像編集とは、１ページの原稿に対する画像編集であって、さらに下位の階層メニューとして、枠消去、印字メニュー、ウォータマーク、ユーザスタンプ等があり、レイアウト編集とは、複数ページの原稿に対する画像編集であって、さらに下位の階層メニューとして、ページ集約、綴じしろ、ページ移動、センタリング等がある。これらのさらなる下位メニューは、アイコン２１０２〜アイコン２１１６またはテキスト２１２２〜テキス卜２１３６をタッチ操作、タップ操作またはダブルタップ操作すると、タッチパネルディスプレイ１３０に表示される。
【０１１０】
コピーモード初期画面７１００のプレビュー領域３０００には、原稿の出力（仕上がり）イメージ３１００および上述したプレビュー変更ボタン群３０１０が配置されている。このとき、ダミーデータまたはスキャンデータを用いてイメージ３１００が表示され、ユーザが機能選択領域２０００の機能設定メニューを変更する毎に、イメージ３１００が変更されてプレビュー領域３０００に表示される（プレビューの表示が変更）。
【０１１１】
コピーモード初期画面７１００のアクションパネル領域４０００には、コピー操作についての補助・助言・提案についての情報が表示されている。ここでは、図５に示すように、このユーザが選択したコピーモードにおけるおすすめ機能が表示される。このとき、アクションパネル領域４０００は、表示されている情報の内容を示すエリア４１００、それ自体がソフトウェアボタンとしておすすめ機能をテキスト表示するエリア４１０２〜エリア４１０６が配置されている。
【０１１２】
エリア４１０２をタッチ操作、タップ操作またはダブルタップ操作すると、省エネコピーについてのさらに詳細な情報がプルダウン表示される。例えば、このとき、「両面印刷すると用紙を節約できます」というテキストとともに両面コピーの機能設定画面へ遷移するソフトウェアボタンと、「複数の原稿を集約して印刷すると用紙を節約できます」というテキストとともにページ集約の機能設定画面へ遷移するソフトウェアボタンと、「本のように綴じられるように印刷することができます」というテキストとともに中綴じの機能設定画面へ遷移するソフトウェアボタンとが、表示される。
【０１１３】
コピーモード初期画面７１００のタスクトリガー領域５０００には、実行ボタン群５１００が表示される。この実行ボタン群５１００として、原稿をスキャンして画像データを取得するように画像形成装置１００を作動させるスキャンインキー（ソフトウェアボタン）５１０２、設定した機能をクリアするクリアオールキー（ソフトウェアボタン）５１０４、原稿をスキャンしてモノクロコピーを実行するように画像形成装置１００を作動させるモノクロスタートキー（ソフトウェアボタン）５１０６、原稿をスキャンしてカラーコピーを実行するように画像形成装置１００を作動させる力ラースタートキー（ソフトウェアボタン）５１０８が配置されている。
【０１１４】
このように、５つの領域に分割して情報が表示されたコピーモード初期画面７１００において、ユーザが要求を入力すると、その要求に従ってコピー処理が実行される。
【０１１５】
次に、機能選択領域２０００をアイコンモードで表示してプレビュー領域３０００を広げた場合の、プレビューページの変更動作について説明する。
【０１１６】
図６に示すように、プレビューのイメージ３１１８が表示されている場合において、ユーザが、プレビュー表示された画面をユーザが左へフリックすると、入力軌跡が分析される。このとき、このユーザによるジェスチャー操作はページをめくる要求であると分析されて、フリックした方向に応じた表示されていない別のページを含むプレピューイメージが表示される。
【０１１７】
また、このようにプレビューイメージが表示されるページを移動させるには、ページ送りボタン３１１８Ｇ、ページ早送りボタン３１１８Ｈ、ページ戻しボタン３１１８Ｅ、ページ早戻しボタン３１１８Ｄをタッチ操作しでも可能である。さらに、ページ直接指定ボタン３１１８Ｆをタッチして直接移動させたいページを入力することにより、プレビューイメージが表示されるページを移動させることも可能である。
【０１１８】
このように、機能選択領域２０００がアイコンモードで表示されると、プレビュー領域３０００が広がり、図６に示すように、ユーザの視認性およびユーザの操作性が高まるように、プレビューイメージを表示することができる。特に、タッチ操作またはジェスチャー操作により、表示させたいプレビューイメージまで移動して、所望のプレビューを表示させることができる。
【０１１９】
なお、図６に示すごみ箱アイコン３１１８Ａは、選択したページをごみ箱アイコン３１１８Ａまでドラッグすることによりそのページを削除することができる。
【０１２０】
また、１ページ表示アイコン３１１８Ｂを押下することにより、例えば３ページ表示していたプレビューが１ページ表示になり（このとき１ページ分を大きく表示）、複数ページ表示アイコン３１１８Ｃを押下することにより、例えば、１ページ表示していたプレビューが３ページ表示になる。
【０１２１】
次に、本実施形態の画像形成装置１００における特徴的な操作ユニット１２０の構成について図面を参照して詳細に説明する。
図７は本実施形態の画像形成装置における操作ユニットの電気的構成を示すブロック図、図８は本実施形態の画像形成装置の操作ユニットを構成するタッチパネルディスプレイの構成を示すブロック図、図９は前記タッチパネルディスプレイを構成する表示パネルの表示態様を示す説明図である。
【０１２２】
本実施形態に係る操作ユニット１２０は、図７に示すように、表示パネル１３２、タッチパネル１３４に加えて、操作位置検出手段１３５、画面表示手段１３６、表示画像生成手段１３７及び操作ユニット１２０における処理・動作を制御する操作ユニット側制御部（表示制御手段）１３１を備えている。
【０１２３】
画像形成装置１００は、画像データを入力する原稿読取部１０２、画像処理手段１０３、原稿読取部１０２から入力される画像データを蓄積する蓄積手段１０５、プリンタや送信部などの画像を出力する画像出力手段１０７を備えて、主制御部１０１により動作制御される。
【０１２４】
操作位置検出手段１３５は、タッチパネル１３４上で行われる操作位置を検出する。
画面表示手段１３６は、表示画像生成手段１３７により形成された画像を表示パネル１３２上に表示する。
表示画像生成手段１３７は、画像形成装置１００本体に入力された画像データに基づき操作ユニット側制御部１３１からの指示により所定の画像を形成する。
操作ユニット側制御部１３１は、画像形成装置１００本体の主制御部１０１に接続され、タッチパネルディスプレイ１３０における制御部として機能する。
【０１２５】
ここで、操作ユニット側制御部１３１について詳細に説明する。
操作ユニット側制御部１３１は、図８に示すように、タッチパネルディスプレイ１３０における制御部として、表示パネル１３２に複数ページの原稿画像をプレビュー表示するプレビュー表示機能と、プレビュー表示された複数ページの原稿画像をスクロール表示するスクロール表示機能とを備え、さらに、仕上がりプレビュー表示手段１３１１と、確認表示手段１３１２と、表示領域切換え手段１３１３と、表示位置切換え手段１３１４と、綴じ位置指示手段１３１５と、綴じ処理プレビュー表示手段１３１６とを備えている。
【０１２６】
仕上がりプレビュー表示手段１３１１は、後処理装置により提供される記録物の仕上がり状態を表示パネル１３２にプレビュー画像として表示するものである。
確認表示手段１３１２は、表示パネル１３２に表示されたプレビュー画像をページ単位で捲って確認表示させるものである。
表示領域切換え手段１３１３は、プレビュー領域３０００において、後述する第１の表示領域１３３１、第２の表示領域１３３２及び第３の表示領域１３３３の位置関係を切換えるものである。
【０１２７】
表示位置切換え手段１３１４は、第３の表示領域１３３３に表示される第２の表示領域１３３２において確認表示されたプレビュー画像の表示位置を切換えるものである。
具体的には、表示位置切換え手段１３１４は、画像形成モードが片面画像形成モードの場合は、第２の表示領域１３３２において表示確認されたページ送り対象画像を、第３の表示領域１３３３に表示されている立体画像の奥側に前記ページ送り対象画像の一部が露出するように重ねて表示する機能と、画像形成モードが両面画像形成モードの場合は、第２の表示領域１３３２において表示確認されたページ送り対象画像を、第３の表示領域１３３３に表示されている立体画像の手前側に重ねて表示する機能とを備えている。
【０１２８】
綴じ位置指示手段１３１５は、印刷用紙（記録媒体）に原稿画像が記録された後に綴じる工程が行われる場合に、印刷用紙に対する綴じ位置を指示するものである。
綴じ処理プレビュー表示手段１３１６は、綴じ位置指示手段１３１５により指示された綴じ位置で綴じ処理がなされた記録用紙のプレビュー画像を表示するものである。
【０１２９】
表示パネル１３２は、図９に示すように、プレビュー画像を表示するプレビュー領域（プレビュー表示領域）３０００において、記録物ＡＰの仕上がり状態を立体的に表示する第１の表示領域１３３１と、第１の表示領域１３３１から順にページ単位で捲られたページ送り対象画像Ｐｎ３（Ｐｎ）を確認表示させる第２の表示領域１３３２と、第２の表示領域１３３２において確認表示されたページ送り対象画像Ｐｎ１，Ｐｎ２・・・を順に重ねて立体的に表示させる第３の表示領域１３３３とが設定されることを特徴としている。
【０１３０】
本実施形態では、第１の表示領域１３３１と第２の表示領域１３３２と第３の表示領域１３３３は、表示パネル１３２の幅方向（左右方向）に沿って順に配置されている。
具体的には、第２の表示領域１３３２をプレビュー領域３０００の略中央部に配置して、この第２の表示領域１３３２を挟んで左右に第１の表示領域１３３１と第３の表示領域１３３３とが配置されている。
【０１３１】
尚、変形例として、第２の表示領域１３３２を挟んで上下に第１の表示領域１３３１と第３の表示領域１３３３とを配置するようにしてもよく、表示パネル１３２の形状やプレビュー領域３０００の形状によって表示領域のレイアウトの変更が可能である。
【０１３２】
第２の表示領域１３３２は、プレビュー領域３０００において、第１の表示領域１３３１、第２の表示領域１３３２及び第３の表示領域１３３３のうちで最も大きい領域で設定されている。このように構成することで、第２の表示領域１３３２に表示されるページ送り対象画像Ｐｎ３の内容が確認し易くなる。
【０１３３】
第１の表示領域１３３１から順にページ単位で捲られたページ送り対象画像Ｐｎ３は、第２の表示領域１３３２上で正面を向いた状態で表示される。
第２の表示領域１３３２に表示されるページ送り対象画像Ｐｎ３は、情報量の多い状態で表示される。
【０１３４】
また、表示パネル１３２には、図９に示すように、処理操作に係る操作キー、例えば、スキャンインキー５１０２、モノクロスタートキー５１０６、カラースタートキー５１０８、クリアオールキー５１０４などのいわゆるタスクトリガーキーを常時表示するようになっている。
【０１３５】
第２の表示領域１３３２に表示されるページ送り対象画像Ｐｎ３は、印刷用紙の両面に画像形成される場合は、第２の表示領域１３３２において、おもて面を表示した後に裏面を表示し、その後、第３の表示領域１３３３へ移動するように表示されている。
【０１３６】
また、第２の表示領域１３３２に表示されるページ送り対象画像Ｐｎ３は、印刷用紙の両面に画像形成される場合は、第２の表示領域１３３２において、おもて面を前記記録媒体の綴じ位置に応じた方向に回転させて裏面を表示するようにされている。
【０１３７】
さらに、第２の表示領域１３３２に表示されるページ送り対象画像Ｐｎ３は、印刷用紙の両面に画像形成される場合は、第２の表示領域１３３２において、おもて面を表示する時は第１の表示領域１３３１に寄った位置に表示され、裏面を表示する時は第３の表示領域１３３３に寄った位置に表示されるようになっている。
【０１３８】
以下に、本実施形態の画像形成装置１００におけるタッチパネルディスプレイ１３０による印刷前に記録物のプレビュー表示により仕上がり状態を確認する操作について、例を挙げて具体的に説明する。
【０１３９】
（実施例１）
まず、記録物の仕上がり状態が「片面左綴じ」の場合について説明する。
図１０（ａ）〜（ｆ）は本実施形態の操作ユニットの表示パネルにおけるプレビュー表示により「片面左綴じ」の記録物の仕上がり状態を確認する操作を示す説明図である。
【０１４０】
実施例１の表示パネル１３２は、図１０（ａ）〜（ｆ）に示すように、プレビュー領域３０００の略中央部に第２の表示領域１３３２が配置され、この第２の表示領域１３３２を挟んで右側に第１の表示領域１３３１、左側に第３の表示領域１３３３がそれぞれ配置されている。
【０１４１】
印刷前に記録物の仕上がり状態を確認する場合は、表示パネル１３２上に記録物の仕上がり状態をプレビュー表示してスライドタッチ（フリック操作）によりページを捲って表示される原稿画像の内容を確認しながら行うことができる。
【０１４２】
まず、入力された原稿の画像データに基づく仕上がりプレビュー画像が表示される場合、タッチパネルディスプレイ１３０の表示パネル１３２の初期画面は、図１０（ａ）に示すように、表示パネル１３２の中央部の第２の表示領域１３３２に、１ページ目の画像Ｐ１１がおもて面Ｐ１１ａを見せた状態で拡大された状態で平面表示され、表示パネル１３２の右側の第１の表示領域１３３１に、記録物ＡＰ１０の２ページ目以降のページ束ＡＰ１０ａが２ページ目の画像Ｐ１２のおもて面Ｐ１２ａを見せた状態で立体表示（斜視図により表示）されている。
【０１４３】
次に、２ページ目の画像Ｐ１２を表示する場合は、図１０（ａ）に示すように、矢印方向（右から左方向）に１ページ目の画像Ｐ１１をスライドタッチ（フリック操作）によりページを捲る指示を与えることにより、図１０（ｂ）に示すように、１ページ目の画像Ｐ１１が縮小化されながら表示パネル１３２の左側の第３の表示領域１３３３に移動し、おもて面Ｐ１１ａを見せた状態で立体表示される。
【０１４４】
そして、図１０（ｃ）に示すように、２ページ目の画像Ｐ１２が、第１の表示領域１３３１から空いた第２の表示領域１３３２に向って拡大されながら移動して、おもて面Ｐ１２ａを見せた状態で第２の表示領域１３３２に拡大されて平面表示される。
【０１４５】
次に、３ページ目の画像Ｐ１３を表示する場合は、図１０（ｃ）に示すように、矢印方向（右から左方向）に２ページ目の画像Ｐ１２をスライドタッチ（フリック操作）によりページを捲る指示を与えることにより、図１０（ｄ）に示すように、表示位置切換え手段１３１４により、２ページ目の画像Ｐ１２が縮小化されながら１ページ目の画像Ｐ１１の背後に移動し、おもて面Ｐ１２ａを一部見せた状態で立体表示される。
【０１４６】
そして、図１０（ｅ）に示すように、３ページ目の画像Ｐ１３が、第１の表示領域１３３１から空いた第２の表示領域１３３２に向って拡大されながら移動して、おもて面Ｐ１３ａを見せた状態で第２の表示領域１３３２に拡大されて平面表示される。
【０１４７】
以下、上述した操作と同様な操作を繰り返すことで、画像の内容を確認しながら記録物ＡＰ１０の仕上がり状態の確認を行うことができる。
【０１４８】
そして、最後は、図１０（ｆ）に示すように、第２の表示領域１３３２には最終ページの画像Ｐ１ｅが拡大された状態で平面表示され、第３の表示領域１３３３には最終ページより前のページ束ＡＰ１０ａが立体表示される。
【０１４９】
また、タッチパネルディスプレイ１３０により、第１の表示領域１３３１に表示された仕上がり状態の記録物ＡＰ１０を、第１の表示領域１３３１から１ページ目の画像Ｐ１１から順にページを捲るようにスライドタッチ（フリック操作）することにより第２の表示領域１３３２に表示して、さらに、第２の表示領域１３３２から第３の表示領域１３３３に移動して立体表示することにより、「片面左綴じ」の記録物ＡＰ１０の綴じ位置を実際に持ってページをめくる場合と同じ感覚で表示内容を確認することもできる。
【０１５０】
また、実施例１では、画像表示位置切換え手段１３１４により、第２の表示領域１３３２から移動して第３の表示領域１３３３に表示される２ページ目の画像Ｐ１２を、１ページ目の画像Ｐ１１の背後（下側）に移動しておもて面Ｐ１２ａを一部見せた状態で立体表示するようにしたので、２ページ目の画像Ｐ１２と３ページ目の画像Ｐ１３の前後関係が確認し易くなるため、「片面左綴じ」の記録物ＡＰ１０の仕上がり状態を容易に確認することができる。
【０１５１】
（実施例２）
次に、記録物の仕上がり状態が「片面右綴じ」の場合について説明する。
図１１（ａ）〜（ｆ）は本実施形態の操作ユニットの表示パネルにおけるプレビュー表示により「片面右綴じ」の記録物の仕上がり状態を確認する操作を示す説明図である。
【０１５２】
実施例２の表示パネル１３２は、図１１（ａ）〜（ｆ）に示すように、プレビュー領域３０００の略中央部に第２の表示領域１３３２が配置され、この第２の表示領域１３３２を挟んで左側に第１の表示領域１３３１、右側に第３の表示領域１３３３がそれぞれ配置されている。
【０１５３】
まず、入力された原稿の画像データに基づく仕上がりプレビュー画像が表示される場合、タッチパネルディスプレイ１３０の表示パネル１３２の初期画面は、図１１（ａ）に示すように、表示パネル１３２の中央部の第２の表示領域１３３２に、１ページ目の画像Ｐ２１がおもて面Ｐ２１ａを見せた状態で拡大されて平面表示され、表示パネル１３２の左側の第１の表示領域１３３１に、記録物ＡＰ２０の２ページ目以降のページ束ＡＰ２０ａが２ページ目の画像Ｐ２２のおもて面Ｐ２２ａを見せた状態で立体表示されている。
【０１５４】
次に、２ページ目の画像Ｐ２２を表示する場合は、図１１（ａ）に示すように、矢印方向（左から右方向）に１ページ目の画像Ｐ２１をスライドタッチ（フリック操作）によりページを捲る指示を与えることにより、図１１（ｂ）に示すように、１ページ目の画像Ｐ２１が縮小化されながら表示パネル１３２の右側の第３の表示領域１３３３に移動し、おもて面Ｐ２１ａを見せた状態で立体表示される。
【０１５５】
そして、図１１（ｃ）に示すように、２ページ目の画像Ｐ２２が、第１の表示領域１３３１から空いた第２の表示領域１３３２に向って拡大されながら移動して、おもて面Ｐ２２ａを見せた状態で第２の表示領域１３３２に拡大されて平面表示される。
【０１５６】
次に、３ページ目の画像Ｐ２３を表示する場合は、図１１（ｃ）に示すように、矢印方向（左から右方向）に２ページ目の画像Ｐ２２をスライドタッチ（フリック操作）によりページを捲る指示を与えることにより、図１１（ｄ）に示すように、表示位置切換え手段１３１４により、２ページ目の画像Ｐ２２が縮小化されながら１ページ目の画像Ｐ２１の背後に移動し、おもて面Ｐ２２ａを一部見せた状態で立体表示される。
【０１５７】
そして、図１１（ｅ）に示すように、３ページ目の画像Ｐ２３が、第１の表示領域１３３１から空いた第２の表示領域１３３２に向って拡大されながら移動して、おもて面Ｐ２３ａを見せた状態で第２の表示領域１３３２に拡大されて平面表示される。
【０１５８】
以下、上述した操作と同様な操作を繰り返すことで、画像の内容を確認しながら記録物ＡＰ２０の仕上がり状態の確認を行うことができる。
【０１５９】
そして、最後は、図１１（ｆ）に示すように、第２の表示領域１３３２には最終ページの画像Ｐ２ｅが拡大された状態で平面表示され、第３の表示領域１３３３には最終ページより前のページ束ＡＰ２０ａが立体表示される。
【０１６０】
また、タッチパネルディスプレイ１３０により、第１の表示領域１３３１に表示された仕上がり状態の記録物ＡＰ２０を、第１の表示領域１３３１から１ページ目の画像Ｐ２１から順にページを捲るようにスライドタッチ（フリック操作）することにより第２の表示領域１３３２に表示して、さらに、第２の表示領域１３３２から第３の表示領域１３３３に移動して立体表示することにより、「片面右綴じ」の記録物ＡＰ２０の綴じ位置を実際に持ってページをめくる場合と同じ感覚で表示内容を確認することもできる。
【０１６１】
また、実施例２では、実施例１と同様に、画像表示位置切換え手段１３１４により、第２の表示領域１３３２から移動して第３の表示領域１３３３に表示される２ページ目の画像Ｐ２２を、１ページ目の画像Ｐ２１の背後（下側）に移動しておもて面Ｐ２２ａを一部見せた状態で立体表示するようにしたので、２ページ目の画像Ｐ２２と３ページ目の画像Ｐ２３の前後関係が確認し易くなるため、「片面右綴じ」の記録物ＡＰ２０の仕上がり状態を容易に確認することができる。
【０１６２】
（実施例３）
次に、記録物の仕上がり状態が「両面左綴じ」の場合について説明する。
図１２（ａ）〜（ｆ）は本実施形態の操作ユニットの表示パネルにおけるプレビュー表示により「両面左綴じ」の記録物の仕上がり状態を確認する操作を示す説明図である。
【０１６３】
実施例３の表示パネル１３２においては、図１２（ａ）〜（ｆ）に示すように、プレビュー領域３０００の略中央部に第２の表示領域１３３２が配置され、この第２の表示領域１３３２を挟んで右側に第１の表示領域１３３１、左側に第３の表示領域１３３３がそれぞれ配置されている。
【０１６４】
まず、入力された原稿の画像データに基づく仕上がりプレビュー画像が表示される場合、タッチパネルディスプレイ１３０の表示パネル１３２の初期画面は、図１２（ａ）に示すように、表示パネル１３２の中央部の第２の表示領域１３３２に、１枚目の画像Ｐ３１がおもて面Ｐ３１ａを見せた状態で拡大されて平面表示され、表示パネル１３２の右側の第１の表示領域１３３１に、記録物ＡＰ３０の２枚目以降のページ束ＡＰ３０ａが２枚目の画像Ｐ３２のおもて面Ｐ３２ａを見せた状態で立体表示されている。
【０１６５】
この時、第２の表示領域１３３２に表示される１枚目の画像Ｐ３１は、第１の表示領域１３３１寄りに表示されている。１枚目の画像Ｐ３１は、第１の表示領域１３３１に表示されている２枚目の画像Ｐ３２の手前に重なるように表示されている。
【０１６６】
そして、１枚目の画像Ｐ３１のおもて面Ｐ３１ａをスライドタッチ（フリック操作）してページを捲る指示を与えると、図１２（ｂ）に示すように、１枚目の画像Ｐ３１が第３の表示領域１３３３寄りに移動しながら左右方向で１８０度回転して、裏面Ｐ３１ｂを見せた状態で平面表示される。
【０１６７】
この時、１枚目の画像Ｐ３１は、第１の表示領域１３３１に表示されている２枚目の画像Ｐ３２とは重ならない位置に表示されている。これにより、１枚目の画像Ｐ３１の裏面Ｐ３１ｂを容易に確認できるとともに、次の２枚目の画像Ｐ３２のおもて面Ｐ３２ａとの繋がりを確認できるようになっている。
【０１６８】
次に、２枚目の画像Ｐ３２を表示する場合は、図１２（ｂ）に示すように、矢印方向（右から左方向）に１枚目の画像Ｐ３１をスライドタッチ（フリック操作）によりページを捲る指示を与えることにより、図１２（ｃ）に示すように、１枚目の画像Ｐ３１が縮小化されながら表示パネル１３２の左側の第３の表示領域１３３３に移動し、裏面Ｐ３１ｂを見せた状態で立体表示される。
【０１６９】
そして、１枚目の画像Ｐ３１の動きに連動して、２枚目の画像Ｐ３２が第１の表示領域１３３１から空いた第２の表示領域１３３２に向って拡大されながら移動して、おもて面Ｐ３２ａを見せた状態で第２の表示領域１３３２に拡大されて平面表示される。
【０１７０】
この時、第２の表示領域１３３２に表示される２枚目の画像Ｐ３２は、第１の表示領域１３３１寄りに表示されている。２枚目の画像Ｐ３２は、第１の表示領域１３３１に表示されている３枚目の画像Ｐ３３の手前に重なるように表示されるとともに、第３の表示領域１３３３に表示されている１枚目の画像Ｐ３１とは重ならない位置に表示されている。これにより、２枚目の画像Ｐ３２のおもて面Ｐ３２ａを容易に確認できるとともに、前の１枚目の画像Ｐ３１の裏面Ｐ３１ｂとの繋がりを確認できるようになっている。
【０１７１】
２枚目の画像Ｐ３２の裏面Ｐ３２ｂを表示する場合は、図１２（ｄ）に示すように、２枚目の画像Ｐ３２のおもて面Ｐ３２ａをスライドタッチ（フリック操作）してページを捲る指示を与えると、２枚目の画像Ｐ３２が第３の表示領域１３３３寄りに移動しながら左右方向で１８０度回転して、裏面Ｐ３２ｂを見せた状態で平面表示される。
【０１７２】
この時、２枚目の画像Ｐ３２は、第１の表示領域１３３１に表示されている３枚目の画像Ｐ３３とは重ならない位置に表示されて、第１の表示領域１３３１に表示された３枚目の画像Ｐ３３のおもて面Ｐ３３ａが確認できるようになっている。
【０１７３】
次に、３枚目の画像Ｐ３３を表示する場合は、図１２（ｄ）に示すように、矢印方向（右から左方向）に２枚目の画像Ｐ３２をスライドタッチ（フリック操作）によりページを捲る指示を与えることにより、図１２（ｄ），（ｅ）に示すように、表示位置切換え手段１３１４により、２枚目の画像Ｐ３２が縮小化されながら１枚目の画像Ｐ３１の手前に重なるように移動し、裏面Ｐ３２ｂを見せた状態で立体表示される。
【０１７４】
そして、２枚目の画像Ｐ３２の動きに連動して、図１２（ｅ）に示すように、３枚目の画像Ｐ３３が、第１の表示領域１３３１から空いた第２の表示領域１３３２に向って拡大されながら移動して、おもて面Ｐ３３ａを見せた状態で第２の表示領域１３３２に拡大されて平面表示される。
【０１７５】
この時、第２の表示領域１３３２に表示される３枚目の画像Ｐ３３は、第１の表示領域１３３１寄りに表示されている。３枚目の画像Ｐ３３は、第１の表示領域１３３１に表示されている４枚目の画像Ｐ３４の手前に重なるように表示されるとともに、第３の表示領域１３３３に表示されている２枚目の画像Ｐ３２とは重ならない位置に表示されている。これにより、３枚目の画像Ｐ３３のおもて面Ｐ３３ａを容易に確認できるとともに、前の２枚目の画像Ｐ３２の裏面Ｐ３２ｂとの繋がりを確認できるようになっている。
【０１７６】
以下、上述した操作と同様な操作を繰り返すことで、画像の内容を確認しながら記録物ＡＰ３０の仕上がり状態の確認を行うことができる。
【０１７７】
そして、最後は、図１２（ｆ）に示すように、第２の表示領域１３３２には最終ページの画像Ｐ３ｅの裏面Ｐ３ｅｂが拡大された状態で平面表示され、第３の表示領域１３３３には最終ページより前のページ束ＡＰ３０ａが立体表示される。
【０１７８】
以上のように、タッチパネルディスプレイ１３０により、第１の表示領域１３３１に表示された仕上がり状態の記録物ＡＰ３０を、第１の表示領域１３３１から１枚目の画像Ｐ３１から順にページを捲るようにスライドタッチ（フリック操作）することにより第２の表示領域１３３２に表示して、おもて面および裏面を表示した後に、第２の表示領域１３３２から第３の表示領域１３３３に移動して立体表示するようにしたので、「両面左綴じ」の記録物ＡＰ３０の綴じ位置を実際に持ってページをめくる場合と同じ感覚で表示内容を確認することができる。
【０１７９】
また、実施例３では、画像表示位置切換え手段１３１４により、第２の表示領域１３３２から移動して第３の表示領域１３３３に表示される２ページ目の画像Ｐ３２を、１ページ目の画像Ｐ３１の手前（上側）に重なるように移動して裏面Ｐ３２ｂを見せた状態で立体表示するようにしたので、２ページ目の画像Ｐ３２と３ページ目の画像Ｐ３３の前後関係が確認し易くなるため、「両面左綴じ」の記録物ＡＰ３０の仕上がり状態を容易に確認することができる。
【０１８０】
ここで、「両面左綴じ」の記録物のプレビュー画像をおもて面から裏面へ左右方向に回転させて遷移する動作について図面を参照して具体的に説明する。
図１３（ａ）〜（ｄ）は本実施形態の操作ユニットの表示パネルにおいてプレビュー表示された「両面左綴じ」の記録物のおもて面から裏面に回転遷移する状態を示す説明図である。
【０１８１】
ここでは、表示パネル１３２の第２の表示領域１３３２に表示された３枚目の画像Ｐ３３をおもて面Ｐ３２ａから裏面Ｐ３２ｂに回転遷移する場合について説明する。
【０１８２】
図１３（ａ）に示すように、第２の表示領域１３３２において、３枚目の画像Ｐ３３は、おもて面Ｐ３３ａが表示されている状態では、第１の表示領域１３３１寄りで４枚目の画像Ｐ３４の手前で４枚目の画像Ｐ３４のおもて面Ｐ３４ａと重なる位置に配置されるとともに、２枚目の画像Ｐ３２の裏面Ｐ３２ｂとは重ならない位置に表示されている。
【０１８３】
３枚目の画像Ｐ３３の裏面Ｐ３３ｂを表示する場合は、図１３（ａ）に示すように、３枚目の画像Ｐ３３のおもて面Ｐ３３ａをスライドタッチ（フリック操作）してページを捲る指示を与えると、図１３（ｂ），（ｃ）に示すように、３枚目の画像Ｐ３３が第３の表示領域１３３３寄りに移動しながら、綴じ位置Ｐ３３ｃ側の端辺を支点（中心）に左右方向で右側から左側に１８０度回転する。
【０１８４】
そして、３枚目の画像Ｐ３３は、図１３（ｄ）に示すように、裏面Ｐ３３ｂを見せた状態で平面表示される。この時、表示パネル１３２の第２の表示領域１３３２に表示された３枚目の画像Ｐ３３の裏面Ｐ３３ｂは、第３の表示領域１３３３寄りに配置される。
このように前後するページの表裏面が重ならないように表示することで、見開き状態のページ内容を容易に確認することができる。
【０１８５】
以上のように、両面綴じの記録物ＡＰ３０の場合は、記録物ＡＰ３０を実際に持って綴じ位置を支点にページを回転させるように捲る場合と同じ感覚で表示内容を確認することができる。これにより、記録物ＡＰ３０の仕上がり状態を容易に確認することができる。
【０１８６】
（実施例４）
次に、記録物の仕上がり状態が「両面上綴じ」の場合について説明する。
図１４（ａ）〜（ｆ）は本実施形態の操作ユニットの表示パネルにおけるプレビュー表示により「両面上綴じ」の記録物の仕上がり状態を確認する操作を示す説明図である。
【０１８７】
実施例４の表示パネル１３２においては、図１４（ａ）〜（ｆ）に示すように、プレビュー領域３０００の略中央部に第２の表示領域１３３２が配置され、この第２の表示領域１３３２を挟んで右側に第１の表示領域１３３１、左側に第３の表示領域１３３３がそれぞれ配置されている。
【０１８８】
まず、入力された原稿の画像データに基づく仕上がりプレビュー画像が表示される場合、タッチパネルディスプレイ１３０の表示パネル１３２の初期画面は、図１４（ａ）に示すように、表示パネル１３２の中央部の第２の表示領域１３３２に、１枚目の画像Ｐ４１がおもて面Ｐ４１ａを見せた状態で拡大されて立体表示され、表示パネル１３２の右側の第１の表示領域１３３１に、記録物ＡＰ４０の２枚目以降のページ束ＡＰ４０ａが２枚目の画像Ｐ４２のおもて面Ｐ４２ａを見せた状態で立体表示されている。
【０１８９】
この時、第２の表示領域１３３２に表示される１枚目の画像Ｐ４１は、第１の表示領域１３３１寄りに表示されている。１枚目の画像Ｐ４１は、第１の表示領域１３３１に表示されている２枚目の画像Ｐ４２の手前に重なるように表示されている。
【０１９０】
そして、１枚目の画像Ｐ４１のおもて面Ｐ４１ａをスライドタッチ（フリック操作）してページを捲る指示を与えると、図１４（ｂ）に示すように、１枚目の画像Ｐ４１が第３の表示領域１３３３寄りに移動しながら上下方向で１８０度回転して、裏面Ｐ４１ｂを見せた状態で立体表示される。
【０１９１】
この時、１枚目の画像Ｐ４１は、第１の表示領域１３３１に表示されている２枚目の画像Ｐ４２とは重ならない位置に表示されている。これにより、１枚目の画像Ｐ４１の裏面Ｐ４１ｂを容易に確認できるとともに、次の２枚目の画像Ｐ４２のおもて面Ｐ４２ａとの繋がりを確認できるようになっている。
【０１９２】
次に、２枚目の画像Ｐ４２を表示する場合は、図１４（ｂ）に示すように、矢印方向（右から左方向）に１枚目の画像Ｐ４１をスライドタッチ（フリック操作）によりページを捲る指示を与えることにより、図１４（ｃ）に示すように、１枚目の画像Ｐ４１が縮小化されながら表示パネル１３２の左側の第３の表示領域１３３３に移動し、裏面Ｐ４１ｂを見せた状態で立体表示される。
【０１９３】
そして、１枚目の画像Ｐ４１の動きに連動して、２枚目の画像Ｐ４２が第１の表示領域１３３１から空いた第２の表示領域１３３２に向って拡大されながら移動して、おもて面Ｐ４２ａを見せた状態で第２の表示領域１３３２に拡大されて立体表示される。
【０１９４】
この時、第２の表示領域１３３２に表示される２枚目の画像Ｐ４２は、第１の表示領域１３３１寄りに表示されている。２枚目の画像Ｐ４２は、第１の表示領域１３３１に表示されている３枚目の画像Ｐ４３の手前に重なるように表示されるとともに、第３の表示領域１３３３に表示されている１枚目の画像Ｐ４１とは重ならない位置に表示されている。これにより、２枚目の画像Ｐ４２のおもて面Ｐ４２ａを容易に確認できるとともに、前の１枚目の画像Ｐ４１の裏面Ｐ４１ｂとの繋がりを確認できるようになっている。
【０１９５】
２枚目の画像Ｐ４２の裏面Ｐ４２ｂを表示する場合は、図１４（ｄ）に示すように、２枚目の画像Ｐ４２のおもて面Ｐ４２ａをスライドタッチ（フリック操作）してページを捲る指示を与えると、２枚目の画像Ｐ４２が第３の表示領域１３３３寄りに移動しながら上下方向で１８０度回転して、裏面Ｐ４２ｂを見せた状態で立体表示される。
【０１９６】
この時、２枚目の画像Ｐ４２は、第１の表示領域１３３１に表示されている３枚目の画像Ｐ４３とは重ならない位置に表示されて、第１の表示領域１３３１に表示された３枚目の画像Ｐ４３のおもて面Ｐ４３ａが確認できるようになっている。
【０１９７】
次に、３枚目の画像Ｐ４３を表示する場合は、図１４（ｄ）に示すように、矢印方向（右から左方向）に２枚目の画像Ｐ４２をスライドタッチ（フリック操作）によりページを捲る指示を与えることにより、図１４（ｄ），（ｅ）に示すように、表示位置切換え手段１３１４により、２枚目の画像Ｐ４２が縮小化されながら１枚目の画像Ｐ４１の手前に重なるように移動し、裏面Ｐ４２ｂを見せた状態で立体表示される。
【０１９８】
そして、２枚目の画像Ｐ４２の動きに連動して、図１４（ｅ）に示すように、３枚目の画像Ｐ４３が、第１の表示領域１３３１から空いた第２の表示領域１３３２に向って拡大されながら移動して、おもて面Ｐ４３ａを見せた状態で第２の表示領域１３３２に拡大されて立体表示される。
【０１９９】
この時、第２の表示領域１３３２に表示される３枚目の画像Ｐ４３は、第１の表示領域１３３１寄りに表示されている。３枚目の画像Ｐ４３は、第１の表示領域１３３１に表示されている４枚目の画像Ｐ４４の手前に重なるように表示されるとともに、第３の表示領域１３３３に表示されている２枚目の画像Ｐ４２とは重ならない位置に表示されている。これにより、３枚目の画像Ｐ４３のおもて面Ｐ４３ａを容易に確認できるとともに、前の２枚目の画像Ｐ４２の裏面Ｐ４２ｂとの繋がりを確認できるようになっている。
【０２００】
以下、上述した操作と同様な操作を繰り返すことで、画像の内容を確認しながら記録物ＡＰ４０の仕上がり状態の確認を行うことができる。
【０２０１】
そして、最後は、図１４（ｆ）に示すように、第２の表示領域１３３２には最終ページの画像Ｐ４ｅの裏面Ｐ４ｅｂが拡大された状態で立体表示され、第３の表示領域１３３３には最終ページより前のページ束ＡＰ４０ａが立体表示される。
【０２０２】
また、タッチパネルディスプレイ１３０により、第１の表示領域１３３１に表示された仕上がり状態の記録物ＡＰ４０を、第１の表示領域１３３１から１枚目の画像Ｐ４１から順にページを捲るようにスライドタッチ（フリック操作）することにより第２の表示領域１３３２に表示して、おもて面および裏面を表示した後に、第２の表示領域１３３２から第３の表示領域１３３３に移動して立体表示することにより、「両面上綴じ」の記録物ＡＰ４０の綴じ位置を実際に持ってページをめくる場合と同じ感覚で表示内容を確認することもできる。
なお、図１４では、左右方向にスライドタッチ（フリック操作）してページを捲る指示を与える例を示したが、「両面上綴じ」の記録物の場合には、上下方向にスライドタッチ（フリック操作）してページを捲る指示を与えてもよい。
【０２０３】
また、実施例４では、画像表示位置切換え手段１３１４により、第２の表示領域１３３２から移動して第３の表示領域１３３３に表示される２ページ目の画像Ｐ４２を、１ページ目の画像Ｐ４１の手前（上側）に重なるように移動して裏面Ｐ４２ｂを見せた状態で立体表示するようにしたので、２ページ目の画像Ｐ４２と３ページ目の画像Ｐ４３の前後関係が確認し易くなるため、「両面上綴じ」の記録物ＡＰ４０の仕上がり状態を容易に確認することができる。
【０２０４】
次に、「両面上綴じ」の記録物のプレビュー画像をおもて面から裏面へ上下方向に回転させて遷移する動作について図面を参照して具体的に説明する。
図１５（ａ）〜（ｈ）は本実施形態の操作ユニットの表示パネルにおいてプレビュー表示された「両面上綴じ」の記録物のおもて面から裏面に回転遷移する状態を示す説明図である。
【０２０５】
図１５（ａ）に示すように、第２の表示領域１３３２において、ページ送り対象画像Ｐ１０２は、おもて面Ｐ１０２ａが表示されている状態では、第１の表示領域１３３１寄りで、後画像Ｐ１０３の手前で後画像Ｐ１０３のおもて面Ｐ１０３ａと重なる位置に配置されるとともに、前画像Ｐ１０１の裏面Ｐ１０１ｂとは重ならない位置に立体表示されている。
【０２０６】
すなわち、ページ送り対象画像Ｐ１０２の表示状態は、おもて面Ｐ１０２ａが第３の表示領域１３３３側に向って傾斜して見えるように、ページ送り対象画像Ｐ１０２の第３の表示領域１３３３側（前画像Ｐ１０１側）の端辺Ｐ１０２３が第１の表示領域１３３３側（後画像Ｐ１０３側）の端辺Ｐ１０２１よりも短く表示されている。つまり、ページ送り対象画像Ｐ１０２の前画像Ｐ１０１側の端辺Ｐ１０２３が、あたかも遠くに位置しているかのように立体表示されている。
【０２０７】
ページ送り対象画像Ｐ１０２の裏面Ｐ１０２ｂを表示する場合は、図１５（ａ）に示すように、ページ送り対象画像Ｐ１０２のおもて面Ｐ１０２ａをスライドタッチ（フリック操作）してページを上方に捲るように指示を与えると、図１５（ｂ）〜（ｇ）に示すように、ページ送り対象画像Ｐ１０２が綴じ位置Ｐ１０２ｃ側の端辺を支点（中心）に上下方向で下側から上側に１８０度回転する。
【０２０８】
そして、ページ送り対象画像Ｐ１０２は、図１５（ｈ）に示すように、裏面Ｐ１０２ｂを見せた状態で立体表示される。この時、表示位置切換え手段１３１４により、ページ送り対象画像Ｐ１０２の裏面Ｐ１０２ｂは、第３の表示領域１３３３寄りで、前画像Ｐ１０１の手前で前画像Ｐ１０１の裏面Ｐ１０１ｂと重なる位置に配置されるとともに、後画像Ｐ１０３のおもて面Ｐ１０３ａとは重ならない位置に立体表示されている。
【０２０９】
すなわち、ページ送り対象画像Ｐ１０２の表示状態は、裏面Ｐ１０２ｂが第１の表示領域１３３１側に向って傾斜して見えるように、ページ送り対象画像Ｐ１０２の第１の表示領域１３３１側（後画像Ｐ１０３側）の端辺Ｐ１０２１が第３の表示領域１３３３側（前画像Ｐ１０１側）の端辺Ｐ１０２３よりも短く表示されている。
つまり、ページ送り対象画像Ｐ１０２の後画像Ｐ１０３側の端辺Ｐ１０２１が、あたかも遠くに位置しているかのように表示されている。
また、図１５（ａ）に示すように、第２の表示領域１３３２に表示されるページ送り対象画像Ｐ１０２の前画像Ｐ１０１を、第３の表示領域１３３３に表示される他の画像よりも情報量の多い状態で表示し、第２の表示領域１３３２に表示されるページ送り対象画像Ｐ１０２の後画像Ｐ１０３を、第１の表示領域１３３１に表示される他の画像よりも情報量の多い状態で表示するようにしたので、前記ページ送り対象画像Ｐ１０２の前後のページの画像Ｐ１０１、Ｐ１０３の情報が確認し易くなり、確認表示されるプレビュー画像の前後関係をより把握し易くできる。
なお、ここでいう情報量とは、画像の表示面積のことである。
【０２１０】
以上、両面綴じの記録物の場合は、記録物を実際に持って綴じ位置Ｐ１０２ｃを支点にページを回転させるように捲る場合と同じ感覚で表示内容を確認することができる。これにより、記録物の仕上がり状態を容易に確認することができる。
【０２１１】
以上のように構成したので、第１実施形態によれば、画像形成装置１００において、操作ユニット１２０の表示パネル１３２のプレビュー表示を制御する制御部１３１に、仕上がりプレビュー表示手段１３１１と確認表示手段１３１２を備え、表示パネル１３２のプレビュー領域３０００に第１の表示領域１３３１と第２の表示領域１３３２と第３の表示領域１３３３とを設けて、後処理装置により完成される記録物の仕上がり状態をプレビュー表示するとともに、プレビュー画像を捲りながら該プレビュー画像を確認表示することができるので、記録物の綴じ位置を実際に持ってページをめくる場合と同じ感覚でプレビュー画像の内容や配置、前後のページとの関係、綴じ状態などを確認することができる。
【０２１２】
さらに、表示位置切換え手段１３１４を備えることで、片面画像形成モードの場合と両面画像形成モードの場合とで、第３の表示領域１３３３において、それぞれの画像形成モードに応じて異なるページ送り対象画像の仕上がり状態を表示することができる。
これにより、記録物全体の雰囲気を容易に把握することができ、記録物の仕上がり状態を容易にイメージできるので、コピーミスを防止して、消耗品の無駄な消費の削減を図ることができる。
【０２１３】
また、第１実施形態によれば、表示パネル１３２のプレビュー領域３０００において、第１の表示領域１３３１と第２の表示領域１３３２と第３の表示領域１３３３とを、表示パネル１３２の幅方向に沿って左右方向に順に配置するように構成したので、実際に記録物を捲っているのに近い感覚でページを送って仕上がり状態を確認することが可能となる。
【０２１４】
また、第１実施形態によれば、第１の表示領域１３３１、第２の表示領域１３３２及び第３の表示領域１３３３のうちで、第２の表示領域１３３２を最も大きい領域とするようにしたので、捲られた原稿画像を確認する時の視認性の向上を図ることができる。
【０２１５】
また、第２の表示領域１３３２に表示されるページ送り対象画像の前後の画像を情報量の多い状態で表示するようにしたので、特に、両面印刷の場合に、前記ページ送り対象画像の前後のページの画像の情報が確認し易くなるので、確認表示されるプレビュー画像の前後関係をより把握し易くできる。さらに、近年の高精細な画像表示が可能な表示パネルを用いることでよりプレビュー画像の内容確認をし易くできる。
【０２１６】
（第２実施形態）
次に、本発明の第２実施形態について図面を参照して説明する。
図１６は本発明の第２実施形態に係る表示パネルの表示態様を示す説明図である。
【０２１７】
第２実施形態は、上述した第１実施形態の表示パネル１３２のプレビュー領域３０００における第１の表示領域１３３１、第２の表示領域１３３２及び第３の表示領域１３３３のレイアウトの変形例である。
尚、第２実施形態において、第１実施形態の表示パネル１３２におけるプレビュー領域３０００のレイアウト以外は、第１実施形態の画像形成装置１００と同様な構成を有するものであるため、同一の機能及び構成を備えるものは同一の符号を付することで説明を省略する。
【０２１８】
第２実施形態の表示パネル１１３２は、図１６に示すように、プレビュー領域３０００において、記録物ＡＰｍの仕上がり状態を立体的に表示する第１の表示領域１３３１と、第１の表示領域１３３１から順にページ単位で捲られたページ送り対象画像Ｐｍ２（Ｐｍ）を確認表示させる第２の表示領域１３３２と、第２の表示領域１３３２において確認表示されたページ送り対象画像Ｐｍ１，Ｐｍ２・・・を順に重ねて立体的に表示させる第３の表示領域１３３３とが設定されていることを特徴としている。
【０２１９】
本実施形態では、表示パネル１１３２のプレビュー領域３０００の右側に第１の表示領域１３３１と第３の表示領域１３３３とを上下方向に対で配置して、プレビュー領域３０００の左側に第２の表示領域１３３２を第１の表示領域１３３１及び第３の表示領域１３３３とは区別して表示するようにしている。
【０２２０】
第２の表示領域１３３２は、プレビュー領域３０００において、第１の表示領域１３３１、第２の表示領域１３３２及び第３の表示領域１３３３のうちで最も大きい領域で設定されている。このように構成することで、第２の表示領域１３３２に表示されるページ送り対象画像Ｐｍ２の内容が確認し易くなる。
【０２２１】
第１の表示領域１３３１から順にページ単位で捲られたページ送り対象画像Ｐｍ２は、第２の表示領域１３３２上で正面を向いた状態で表示される。
第２の表示領域１３３２に表示されるページ送り対象画像Ｐｍ２は、情報量の多い状態で表示される。さらに、ページ送り対象画像Ｐｍ２の前後の画像、すなわち、第３の表示領域１３３３に表示される前ページの画像Ｐｍ１及び第１の表示領域１３３１に表示される後ページの画像Ｐｍ３もまた情報量の多い状態で表示される。
【０２２２】
また、表示パネル１１３２には、図１６に示すように、処理操作に係る操作キー、例えば、スキャンインキー５１０２、モノクロスタートキー５１０６、カラースタートキー５１０８、クリアオールキー５１０４などのいわゆるタスクトリガーキーを常時表示するようになっている。
【０２２３】
第２の表示領域１３３２に表示されるページ送り対象画像Ｐｍ２は、印刷用紙の両面に画像形成される場合は、第２の表示領域１３３２において、おもて面を表示した後に裏面を表示し、その後、第３の表示領域１３３３へ移動するように表示されている。
【０２２４】
また、第２の表示領域１３３２に表示されるページ送り対象画像Ｐｍ２は、印刷用紙の両面に画像形成される場合は、第２の表示領域１３３２において、おもて面を前記記録媒体の綴じ位置に応じた方向に回転させて裏面を表示するようにされている。
【０２２５】
さらに、第２の表示領域１３３２に表示されるページ送り対象画像Ｐｍ２は、印刷用紙の両面に画像形成される場合は、第２の表示領域１３３２において、おもて面を表示する時は第１の表示領域１３３１に寄った位置（プレビュー領域３０００の下側寄りの位置）に表示され、裏面を表示する時は第３の表示領域１３３３に寄った位置（プレビュー領域３０００の上側寄りの位置）に表示するようにされている。
【０２２６】
以下に、本実施形態のタッチパネルディスプレイ１１３０による印刷前に記録物のプレビュー表示により仕上がり状態を確認する操作について、例を挙げて具体的に説明する。
【０２２７】
（実施例５）
記録物の仕上がり状態が「両面上綴じ」の場合の変形例について説明する。
図１７（ａ）〜（ｆ）は本実施形態の操作ユニットの表示パネルにおけるプレビュー表示により「両面上綴じ」の記録物の仕上がり状態を確認する操作を示す説明図である。
【０２２８】
実施例５の表示パネル１１３２においては、図１７（ａ）〜（ｆ）に示すように、プレビュー領域３０００の右側に第１の表示領域１３３１と第３の表示領域１３３３とを上下方向に対で配置され、プレビュー領域３０００の左側に第２の表示領域１３３２を第１の表示領域１３３１及び第３の表示領域１３３３とを区別して表示するようにされている。
【０２２９】
まず、入力された原稿の画像データに基づく仕上がりプレビュー画像が表示される場合、タッチパネルディスプレイ１１３０の表示パネル１１３２の初期画面は、図１７（ａ）に示すように、表示パネル１１３２の左側の第２の表示領域１３３２に、１枚目の画像Ｐ５１がおもて面Ｐ５１ａを見せた状態で拡大されて平面表示され、表示パネル１１３２の右側下部の第１の表示領域１３３１に、記録物ＡＰ５０の２枚目以降のページ束ＡＰ５０ａが２枚目の画像Ｐ５２のおもて面Ｐ５２ａを見せた状態で立体表示されている。
【０２３０】
この時、第２の表示領域１３３２に表示される１枚目の画像Ｐ５１は、第１の表示領域１３３１寄り（プレビュー領域３０００の下側寄り）に表示されている。
【０２３１】
そして、１枚目の画像Ｐ５１のおもて面Ｐ５１ａをスライドタッチ（フリック操作）してページを捲る指示を与えると、図１７（ｂ）に示すように、１枚目の画像Ｐ５１が第３の表示領域１３３３寄り（プレビュー領域３０００の上側寄り）に移動しながら上下方向で１８０度回転して、裏面Ｐ５１ｂを見せた状態で平面表示される。
【０２３２】
次に、２枚目の画像Ｐ５２を表示する場合は、図１７（ｂ）に示すように、矢印方向（右から左方向）に１枚目の画像Ｐ５１をスライドタッチ（フリック操作）によりページを捲る指示を与えることにより、図１７（ｃ）に示すように、１枚目の画像Ｐ５１が縮小化されながら表示パネル１３２の右側上部の第３の表示領域１３３３に移動し、裏面Ｐ５１ｂを見せた状態で立体表示される。
【０２３３】
そして、１枚目の画像Ｐ５１の動きに連動して、２枚目の画像Ｐ５２が第１の表示領域１３３１から空いた第２の表示領域１３３２に向って拡大されながら移動して、おもて面Ｐ５２ａを見せた状態で第２の表示領域１３３２に拡大されて平面表示される。
【０２３４】
この時、第２の表示領域１３３２に表示される２枚目の画像Ｐ５２は、第１の表示領域１３３１寄り（プレビュー領域３０００の下側寄り）に表示されている。
【０２３５】
２枚目の画像Ｐ５２の裏面Ｐ５２ｂを表示する場合は、図１７（ｄ）に示すように、２枚目の画像Ｐ５２のおもて面Ｐ５２ａをスライドタッチ（フリック操作）してページを捲る指示を与えると、２枚目の画像Ｐ５２が第３の表示領域１３３３寄り（プレビュー領域３０００の上側寄り）に移動しながら上下方向で１８０度回転して、裏面Ｐ５２ｂを見せた状態で平面表示される。
【０２３６】
次に、３枚目の画像Ｐ５３を表示する場合は、図１７（ｄ）に示すように、矢印方向（右から左方向）に２枚目の画像Ｐ５２をスライドタッチ（フリック操作）によりページを捲る指示を与えることにより、図１７（ｄ），（ｅ）に示すように、表示位置切換え手段１３１４により、２枚目の画像Ｐ５２が縮小化されながら１枚目の画像Ｐ５１の手前に重なるように移動し、裏面Ｐ５２ｂを見せた状態で立体表示される。
【０２３７】
そして、２枚目の画像Ｐ５２の動きに連動して、図１７（ｅ）に示すように、３枚目の画像Ｐ５３が、第１の表示領域１３３１から空いた第２の表示領域１３３２に向って拡大されながら移動して、おもて面Ｐ５３ａを見せた状態で第２の表示領域１３３２に拡大されて平面表示される。
【０２３８】
この時、第２の表示領域１３３２に表示される３枚目の画像Ｐ５３は、第１の表示領域１３３１寄り（プレビュー領域３０００の下側寄り）に表示される。
【０２３９】
以下、上述した操作と同様な操作を繰り返すことで、画像の内容を確認しながら記録物ＡＰ５０の仕上がり状態の確認を行うことができる。
【０２４０】
そして、最後は、図１７（ｆ）に示すように、第２の表示領域１３３２には最終ページの画像Ｐ５ｅの裏面Ｐ５ｅｂが拡大された状態で平面表示され、第３の表示領域１３３３には最終ページより前のページ束ＡＰ５０ａが立体表示される。
【０２４１】
また、タッチパネルディスプレイ１１３０により、第１の表示領域１３３１に表示された仕上がり状態の記録物ＡＰ５０を、第１の表示領域１３３１から１枚目の画像Ｐ５１から順にページを捲るようにスライドタッチ（フリック操作）することにより第２の表示領域１３３２に表示して、おもて面および裏面を表示した後に、第２の表示領域１３３２から第３の表示領域１３３３に移動して立体表示することにより、「両面上綴じ」の記録物ＡＰ５０の綴じ位置を実際に持ってページをめくる場合と同じ感覚で表示内容を確認することもできる。
なお、図１７では、左右方向にスライドタッチ（フリック操作）してページを捲る指示を与える例を示したが、「両面上綴じ」の記録物の場合には、上下方向にスライドタッチ（フリック操作）してページを捲る指示を与えてもよい。
【０２４２】
また、実施例５では、画像表示位置切換え手段１３１４により、第２の表示領域１３３２から移動して第３の表示領域１３３３に表示される２ページ目の画像Ｐ５２を、１ページ目の画像Ｐ５１の手前（上側）に重なるように移動して裏面Ｐ５２ｂを見せた状態で立体表示するようにしたので、２ページ目の画像Ｐ５２と３ページ目の画像Ｐ５３の前後関係が確認し易くなるため、「両面上綴じ」の記録物ＡＰ５０の仕上がり状態を容易に確認することができる。
【０２４３】
次に、「両面上綴じ」の記録物のプレビュー画像をおもて面から裏面へ上下方向に回転させて遷移する動作について図面を参照して具体的に説明する。
図１８（ａ）〜（ｈ）は本実施形態の操作ユニットの表示パネルにおいてプレビュー表示された「両面上綴じ」の記録物のおもて面から裏面に回転遷移する状態を示す説明図である。
【０２４４】
図１８（ａ）に示すように、第２の表示領域１３３２において、ページ送り対象画像Ｐ２０２は、おもて面Ｐ２０２ａが表示されている状態では、第１の表示領域１３３１寄りの位置、すなわち、プレビュー領域３０００の下側寄りの位置に表示される。
【０２４５】
ページ送り対象画像Ｐ２０２の裏面Ｐ２０２ｂを表示する場合は、図１８（ａ）に示すように、ページ送り対象画像Ｐ２０２のおもて面Ｐ２０２ａをスライドタッチ（フリック操作）してページを上方に捲るように指示を与えると、図１８（ｂ）〜（ｇ）に示すように、ページ送り対象画像Ｐ２０２が綴じ位置Ｐ２０２ｃ側の端辺を支点（中心）に上下方向で下側から上側に１８０度回転する。
【０２４６】
そして、ページ送り対象画像Ｐ２０２は、図１８（ｈ）に示すように、裏面Ｐ２０２ｂを見せた状態で表示される。この時、ページ送り対象画像Ｐ２０２の裏面Ｐ２０２ｂは、第３の表示領域１３３３寄りの位置、すなわち、プレビュー領域３０００の下側寄りの位置に表示される。
また、図１８（ａ）に示すように、第２の表示領域１３３２に表示されるページ送り対象画像Ｐ２０２の前画像Ｐ２０１を、第３の表示領域１３３３に表示される他の画像よりも情報量の多い状態で表示し、第２の表示領域１３３２に表示されるページ送り対象画像Ｐ２０２の後画像Ｐ２０３を、第１の表示領域１３３１に表示される他の画像よりも情報量の多い状態で表示するようにしたので、前記ページ送り対象画像Ｐ２０２の前後のページの画像Ｐ２０１、Ｐ２０３の情報が確認し易くなり、確認表示されるプレビュー画像の前後関係をより把握し易くできる。
【０２４７】
以上、両面綴じの記録物の場合は、記録物を実際に持って綴じ位置Ｐ２０２ｃを支点にページを回転させるように捲る場合と同じ感覚で表示内容を確認することができる。これにより、記録物の仕上がり状態を容易に確認することができる。
【０２４８】
以上のように構成したので、第２実施形態によれば、表示パネル１３２のプレビュー領域３０００において、プレビュー領域３０００の右側に第１の表示領域１３３１と第３の表示領域１３３３とを上下方向に対で配置して、プレビュー領域３０００の左側に第２の表示領域１３３２を第１の表示領域１３３１及び第３の表示領域１３３３とは区別して表示するようにしたので、記録物の綴じ状態を容易に認識でき、ページ送り対象画像のページ位置や内容を容易に確認することができる。
【０２４９】
さらに、表示位置切換え手段１３１４を備えることで、片面画像形成モードの場合と両面画像形成モードの場合とで、第３の表示領域１３３３において、それぞれの画像形成モードに応じて異なるページ送り対象画像の仕上がり状態を表示することができる。
これにより、記録物全体の雰囲気を容易に把握することができ、記録物の仕上がり状態を容易にイメージできるので、コピーミスを防止して、消耗品の無駄な消費の削減を図ることができる。
【０２５０】
尚、本発明に係る表示手段におけるプレビュー領域における表示領域のレイアウトは、上述した実施形態や実施例に示す構成に限定されるものではい。
【０２５１】
以下に、上述した実施形態に係る表示パネルのプレビュー領域における第１の表示領域１３３１、第２の表示領域１３３２及び第３の表示領域１３３３のレイアウトの変形例について図面を参照して説明する。
図１９は本発明に係る表示パネルのプレビュー領域のレイアウトの変形例１を示す説明図、図２０は前記表示パネルのプレビュー領域のレイアウトの変形例２を示す説明図である。
【０２５２】
（変形例１）
変形例１は、記録物の仕上がり状態が「両面左綴じ」の場合の変形例を示すものである。変形例１の表示パネル２１３２は、図１９に示すように、プレビュー領域３０００において、プレビュー領域３０００の左側にページ送り対象画像Ｐ３０２を確認表示させる第２の表示領域１３３２を配置して、その右側に記録物ＡＰ３００の仕上がり状態を立体的に表示する第１の表示領域１３３１と第２の表示領域１３３２において確認表示されたページ送り対象画像Ｐ３０１，Ｐ３０２・・・を順に重ねて立体的に表示させる第３の表示領域１３３３とを左右方向に対で配置したものである。図中の符号Ｐ３０２ｃは綴じ位置である。
【０２５３】
第２の表示領域１３３２は、上述した実施形態と同様に、第１の表示領域１３３１から第３の表示領域１３３２のうちで最も大きい領域とされている。
【０２５４】
以上のように構成したので、変形例１によっても、第２の表示領域１３３２に表示されるページ送り対象画像Ｐ３０２の内容を容易に確認できるとともに、その原稿画像の前後関係を容易に確認できるだけでなく、記録物の綴じ状態を容易に認識でき、「両面左綴じ」の記録物全体の雰囲気を容易に把握することができる。これにより、記録物ＡＰ３００の仕上がり状態を容易にイメージすることができる。
【０２５５】
（変形例２）
変形例２は、記録物の仕上がり状態が「片面上綴じ」の場合のプレビュー領域のレイアウトを示すものである。変形例２の表示パネル３１３２は、図２０に示すように、プレビュー領域３０００において、プレビュー領域３０００の左側にページ送り対象画像Ｐ４０２を確認表示させる第２の表示領域１３３２を配置して、その右側に記録物ＡＰ４００の仕上がり状態を立体的に表示する第１の表示領域１３３１と第２の表示領域１３３２において確認表示されたページ送り対象画像Ｐ４０１，Ｐ４０２・・・を順に重ねて立体的に表示させる第３の表示領域１３３３とを上下方向に対で配置したものである。図中の符号Ｐ４０２ｃは綴じ位置である。
【０２５６】
第２の表示領域１３３２は、上述した実施形態と同様に、第１の表示領域１３３１から第３の表示領域１３３２のうちで最も大きい領域とされている。
【０２５７】
以上のように構成したので、変形例２によっても、第２の表示領域１３３２に表示されるページ送り対象画像Ｐ４０２の内容を容易に確認できるとともに、その原稿画像の前後関係を容易に確認できるだけでなく、記録物の綴じ状態を容易に認識でき、「片面上綴じ」の記録物全体の雰囲気を容易に把握することができる。これにより、記録物ＡＰ４００の仕上がり状態を容易にイメージすることができる。
【０２５８】
尚、上述した実施形態では、本発明に係る操作ユニット１２０を図１に示すような画像形成装置１００に適用した例について説明したが、印刷する前に表示パネル等に原稿画像をプレビュー表示することで印刷状態を確認するようにした画像形成装置であれば、上述したような構成の画像形成装置や複写機に限定されるものではなく、その他の画像形成装置等に展開が可能である。
【０２５９】
また、上述の説明において、タッチパネルディスプレイ１３０上に表示されているプレビュー画像を移動させる指示を行う手法として、操作者の指によるスライドタッチ（フリック操作）によりプレビュー画像を移動するように説明しているが、タッチパネルディスプレイ１３０上に上下左右方向への移動の指示を行うキーを表示させ、そのキーをタッチすることで移動指示を行うようにしてもよい。
【０２６０】
以上のように、本発明は、上述した実施形態に限定されるものではなく、請求項に示した範囲で種々の変更が可能である。当業者であれば、特許請求の範囲に記載された範疇内において、各種の変更例または修正例に想到し得ることは明らかであり、すなわち、本発明の要旨を逸脱しない範囲内において適宜変更した技術的手段を組み合わせて得られる実施形態についても本発明の技術的範囲に含まれる。
【符号の説明】
【０２６１】
１００  画像形成装置
１０２  原稿読取部（入力手段）
１０４  画像形成部（画像形成手段）
１２０  操作ユニット（画像表示操作装置）
１３０，１１３０  タッチパネルディスプレイ（表示制御手段）
１３１  制御部
１３２，１１３２，２１３２  表示パネル（表示手段）
１３４  タッチパネル
１３１１  プレビュー表示手段
１３１２  確認表示手段
１３１３  表示領域切換え手段
１３１４  表示位置切換え手段
１３１５  綴じ位置指示手段
１３１６  綴じ処理プレビュー表示手段
１３３１  第１の表示領域
１３３２  第２の表示領域
１３３３  第３の表示領域
３０００  プレビュー領域
５０００  タスクトリガー領域
５１００  実行ボタン群
５１０２  スキャンインキー（操作キー）
５１０４  クリアオールキー（操作キー）
５１０６  モノクロスタートキー（操作キー）
５１０８  カラースタートキー（操作キー）
ＡＰ１０，ＡＰ２０，ＡＰ３０，ＡＰ４０，
ＡＰ５０，ＡＰ３００，ＡＰ４００  記録物
ＡＰｍ  記録物
Ｐ１１，Ｐ１２，Ｐ１３，Ｐ１ｅ  画像（ページ送り対象画像）
Ｐ２１，Ｐ２２，Ｐ２３，Ｐ２ｅ  画像（ページ送り対象画像）
Ｐ３１，Ｐ３２，Ｐ３３，Ｐ３４，Ｐ３ｅ  画像（ページ送り対象画像）
Ｐ４１，Ｐ４２，Ｐ４３，Ｐ４４  画像（ページ送り対象画像）
Ｐ５１，Ｐ５２，Ｐ５３  画像（ページ送り対象画像）
Ｐ１０１  前画像
Ｐ１０２，Ｐ２０２，Ｐ３０２，Ｐ４０２  ページ送り対象画像
Ｐ１０３  後画像
Ｐｍ２  ページ送り対象画像
Ｐｎ３  ページ送り対象画像
【図１】
0005133371.tif 000002
【図２】
0005133371.tif 000003
【図３】
0005133371.tif 000004
【図４】
0005133371.tif 000005
【図５】
0005133371.tif 000006
【図６】
0005133371.tif 000007
【図７】
0005133371.tif 000008
【図８】
0005133371.tif 000009
【図９】
0005133371.tif 000010
【図１０】
0005133371.tif 000011
【図１１】
0005133371.tif 000012
【図１２】
0005133371.tif 000013
【図１３】
0005133371.tif 000014
【図１４】
0005133371.tif 000015
【図１５】
0005133371.tif 000016
【図１６】
0005133371.tif 000017
【図１７】
0005133371.tif 000018
【図１８】
0005133371.tif 000019
【図１９】
0005133371.tif 000020
【図２０】
0005133371.tif 000021